(57)【要約】  ピクチャを矩形領域に分割したタイルグループであって、セグメントから構成されるタイルグループの符号化データを復号する動画像復号装置であって、対象タイルグループ内のセグメントが矩形のタイル、CTU行、スライスの何れであるかを示すタイル数、WPP有効フラグ、スライス有効フラグをタイルグループヘッダから復号するヘッダ復号部を備え、上記ヘッダ復号部は、１つのタイルグループ内で、タイル数が２つ以上、WPP有効フラグが１、スライス有効フラグが１のいずれかのみを復号する。
2020162609.tif 000002
【特許請求の範囲】
【請求項１】
ピクチャを復号する動画像復号装置において、
パラメータセットから、ＣＴＵ行の最初のＣＴＵにおいてＣＡＢＡＣの同期処理を行うか否かを示す有効フラグを復号するヘッダ復号部を備え、
上記ヘッダ復号部は、
スライス内におけるタイルのラスタスキャンによるタイル行位置を用いて、ラスタスキャンＣＴＵアドレスリストを導出し、
上記ラスタスキャンＣＴＵアドレスリストを用いて、ＣＴＵアドレスを導出し、
上記有効フラグの値が１の場合、該ＣＴＵアドレスを用いて、エントリポイントの数を導出することを特徴とする動画像復号装置。
【請求項２】
上記ヘッダ復号部は、上記エントリポイントの数が０よりも大きい場合、エントリポイントのオフセット−１を示す第１のシンタックスと、該第１のシンタックスのビット数を示す、該エントリポイントの数の第２のシンタックスとを復号することを特徴とする請求項１に記載の動画像復号装置。
【請求項３】
画像を符号化する動画像符号化装置において、
パラメータセットから、ＣＴＵ行の最初のＣＴＵにおいてＣＡＢＡＣの同期処理を行うか否かを示す有効フラグを符号化するヘッダ符号化部を備え、
上記ヘッダ符号化部は、
スライス内におけるタイルのラスタスキャンによるタイル行位置を用いて、ラスタスキャンＣＴＵアドレスリストを導出し、
上記ラスタスキャンＣＴＵアドレスリストを用いて、ＣＴＵアドレスを導出し、
上記有効フラグの値が１の場合、該ＣＴＵアドレスを用いて、エントリポイントの数を導出することを特徴とする動画像符号化装置。
【請求項４】
ピクチャを復号する動画像復号方法において、
パラメータセットから、ＣＴＵ行の最初のＣＴＵにおいてＣＡＢＡＣの同期処理を行うか否かを示す有効フラグを復号するステップと、
スライス内におけるタイルのラスタスキャンによるタイル行位置を用いて、ラスタスキャンＣＴＵアドレスリストを導出するステップと、
上記ラスタスキャンＣＴＵアドレスリストを用いて、ＣＴＵアドレスを導出するステップと、
上記有効フラグの値が１の場合、上記ＣＴＵアドレスを用いて、エントリポイントの数を導出するステップと、を少なくとも含むことを特徴とする動画像復号方法。
【請求項５】
ピクチャを符号化する動画像符号化方法において、
パラメータセットから、ＣＴＵ行の最初のＣＴＵにおいてＣＡＢＡＣの同期処理を行うか否かを示す有効フラグを符号化するステップと、
スライス内におけるタイルのラスタスキャンによるタイル行位置を用いて、ラスタスキャンＣＴＵアドレスリストを導出するステップと、
上記ラスタスキャンＣＴＵアドレスリストを用いて、ＣＴＵアドレスを導出するステップと、
上記有効フラグの値が１の場合、上記ＣＴＵアドレスを用いて、エントリポイントの数を導出するステップと、を少なくとも含むことを特徴とする動画像符号化方法。
【発明の詳細な説明】
【技術分野】
【０００１】
本発明の実施形態は、動画像復号装置、および動画像符号化装置に関する。
【背景技術】
【０００２】
動画像を効率的に伝送または記録するために、動画像を符号化することによって符号化データを生成する動画像符号化装置、および、当該符号化データを復号することによって復号画像を生成する動画像復号装置が用いられている。【０００３】
具体的な動画像符号化方式としては、例えば、H.264/AVCやHEVC（High-Efficiency Video Coding）などが挙げられる。【０００４】
このような動画像符号化方式においては、動画像を構成する画像（ピクチャ）は、画像を分割することにより得られるスライス、スライスを分割することにより得られる符号化ツリーユニット（CTU：Coding Tree Unit）、符号化ツリーユニットを分割することで得られる符号化単位（符号化ユニット（Coding Unit：CU）と呼ばれることもある）、及び、符号化単位を分割することより得られる変換ユニット（TU：Transform Unit）からなる階層構造により管理され、CU毎に符号化／復号される。【０００５】
また、このような動画像符号化方式においては、通常、入力画像を通知することによって得られる局所復号画像に基づいて予測画像が生成され、当該予測画像を入力画像（原画像）から減算して得られる予測誤差（「差分画像」または「残差画像」と呼ぶこともある）が符号化される。予測画像の生成方法としては、画面間予測（インター予測）、および、画面内予測（イントラ予測）が挙げられる。【０００６】
また、画面を複数の単位に分割して伝送する方法としては、スライス、CTU行（ウェーブフロント並列）、タイルに分割する方法が知られている。以下、これらをセグメントと記す。【０００７】
また、近年の動画像符号化及び復号の技術として非特許文献１が挙げられ、非特許文献２には、タイルグループの技術が開示されており、タイルグループの具体的なシンタックス例は非特許文献３に開示されている。非特許文献４では、rectangle tileと呼ばれる矩形のタイルグループが開示されている。【０００８】
また、複数のタイルを一つにまとめたサブストリーム（以下、タイルグループと記す）におけるウェーブフロント並列化技術が、非特許文献５に開示されている。
【先行技術文献】
【非特許文献】
【０００９】
【非特許文献１】" Versatile Video Coding (Draft 4)", JVET-M1001-v6, Joint Video Exploration Team (JVET) of ITU-T SG 16 WP 3 and ISO/IEC JTC 1/SC 29/WG 11, 2019-03-09
【非特許文献２】"Tile groups for VVC", JVET-L0415, Joint Video Exploration Team (JVET) of ITU-T SG 16 WP 3 and ISO/IEC JTC 1/SC 29/WG 11, 2018-09-25
【非特許文献３】"Spec text for the agreed starting point on slicing and tiling", JVET-L0686, Joint Video Exploration Team (JVET) of ITU-T SG 16 WP 3 and ISO/IEC JTC 1/SC 29/WG 11, 2018-10-12
【非特許文献４】"AHG12: On Tile Grouping", JVET-M0853, Joint Video Exploration Team (JVET) of ITU-T SG 16 WP 3 and ISO/IEC JTC 1/SC 29/WG 11, 2019-01-12
【非特許文献５】" AHG12: Wavefront processing in a tile group", JVET-M0070-v1, Joint Video Exploration Team (JVET) of ITU-T SG 16 WP 3 and ISO/IEC JTC 1/SC 29/WG 11, 2019-01-03
【発明の概要】
【発明が解決しようとする課題】
【００１０】
HEVCでは、ピクチャを矩形に分割するタイルと、CTU行に分割するウェーブフロント並列処理（Wavefront Parallel Processing, WPP）と、連続するCTUの集合に分割するスライスに対応しているが、一つの領域に対して、タイルやウェーブフロント、スライスの利用が排他的ではないために、処理が複雑になる、という課題がある。また、非特許文献２や３のような、タイルグループに対応していないので、タイルやウェーブフロント並列化を用いる場合には、符号化データの開始位置を示すエントリポイントをピクチャ単位で符号化することしかできず、画面を分割したグループ単位で符号化できないという課題がある。【００１１】
非特許文献２、非特許文献３に記載のタイルでは、タイルをグループ単位で通知することが可能であるが、高効率で高い並列度を実現するウェーブフロント並列処理や、矩形以外の任意の位置でセグメントの区切り位置を実現するスライスに対応していないという課題がある。また、タイルグループ単位でセグメントの種別を切り替えることができない。【００１２】
また、非特許文献２、非特許文献３に記載のタイルはピクチャ単位でタイルの分割方法を規定するため、ピクチャグループ単位でタイルの幅や高さを変更することができない。【００１３】
また、非特許文献５では、タイルグループ内でのウェーブフロント並列化の方法が開示されているが、非特許文献１に記載されているような、PPSにタイルグループを定義する場合については開示されておらず、PPSにタイルグループを定義する場合に適したウェーブフロント並列化が実現できない。【００１４】
そこで、本発明は、上記の課題に鑑みてなされたものであり、その目的は、タイルやウェーブフロント、スライスをタイルグループ内で排他的に利用することによって、符号化処理や復号処理を簡略化、効率化することである。また、ピクチャグループ単位でタイルの幅や高さを変更することである。
【課題を解決するための手段】
【００１５】
本発明の一態様に係る動画像復号装置は、ピクチャを１つ以上の矩形領域に分割したタイルグループであって、１つ以上のセグメントから構成されるタイルグループの符号化データを復号する動画像復号装置であって、対象タイルグループ内のセグメントが矩形のタイル、１CTU高さのCTU行、CTU単位のスライスの何れであるかを示す対象タイルグループ内のタイル数、WPP有効フラグ、スライス有効フラグをタイルグループヘッダから復号するヘッダ復号部を備え、上記ヘッダ復号部は、１つのタイルグループ内で、タイル数が２つ以上、WPP有効フラグが１、スライス有効フラグが１のいずれかのみを復号することを特徴とする。
【図面の簡単な説明】
【００１６】
【図１】本実施形態に係る画像伝送システムの構成を示す概略図である。
【図２】本実施形態に係る動画像符号化装置を搭載した送信装置、および、動画像復号装置を搭載した受信装置の構成について示した図である。(a)は動画像符号化装置を搭載した送信装置を示しており、(b)は動画像復号装置を搭載した受信装置を示している。
【図３】本実施形態に係る動画像符号化装置を搭載した記録装置、および、動画像復号装置を搭載した再生装置の構成について示した図である。(a)は動画像符号化装置を搭載した記録装置を示しており、(b)は動画像復号装置を搭載した再生装置を示している。
【図４】符号化ストリームのデータの階層構造を示す図である。
【図５】ピクチャの分割例を示す図である。
【図６】タイルグループを説明する図である。
【図７】本実施形態のタイルグループの符号化又は復号を説明するフローチャートである。
【図８】本実施形態のタイルグループを説明する図である。
【図９】動画像復号装置の構成を示す概略図である。
【図１０】動画像復号装置の概略的動作を説明するフローチャートである。
【図１１】タイル情報等に関するシンタックス表である。
【図１２】本実施形態のタイルグループのシンタックス構成を示す図である。
【図１３】本実施形態のタイルグループを説明する図である。
【図１４】本実施形態のピクチャパラメータセットのシンタックス構成を示す図である。
【図１５】タイルグループ（セグメントグループ）単位で、異なる種類のセグメントを利用する例である。
【図１６】タイルセグメントとCTU行セグメントの排他構成を説明する図である。
【図１７】タイルとウェーブフロントの排他構成におけるヘッダ復号部の動作を説明する図である。
【図１８】本実施形態のタイルグループのシンタックス構成を示す図である。
【図１９】本実施形態のタイルグループのシンタックス構成を示す図である。
【図２０】タイルセグメントとスライスセグメントの排他構成を説明する図である。
【図２１】本実施形態のタイルグループのシンタックス構成を示す図である。
【図２２】タイルセグメントとCTU行セグメントとスライスセグメントの排他構成を説明する図である。
【図２３】本実施形態のタイルグループのシンタックス構成を示す図である。
【図２４】動画像符号化装置の構成を示すブロック図である。
【図２５】本実施形態のタイルグループのシンタックス構成を示す図である。
【図２６】動画像復号装置の概略的動作を説明するフローチャートである。
【図２７】矩形タイルグループを含むタイルグループを説明する図である。
【図２８】本実施形態の一形態のパラメータセットのシンタックス構成を示す図である。
【図２９】矩形タイルグループを含むタイルグループヘッダのシンタックス構成を示す図である。
【図３０】本実施形態の一形態のタイルグループとウェーブフロントプロセッシング（CTU行セグメント）のタイルベースCTUスキャン順の関係を示す図である。
【図３１】本実施形態の一形態のタイルグループヘッダのシンタックス構成を示す図である。
【図３２】本実施形態の一形態のタイルグループとウェーブフロントプロセッシング（CTU行セグメント）のタイルベースCTUスキャン順の関係を示す図である。
【図３３】本実施形態の一形態のタイルグループヘッダのシンタックス構成を示す図である。
【図３４】本実施形態の一形態のタイルグループヘッダのシンタックス構成を示す図である。
【図３５】は、タイルとウェーブフロントの排他構成を備える構成のヘッダ符号化部1110及びヘッダ復号部3020の動作を説明する図である。
【図３６】本実施形態の一形態のタイルグループとウェーブフロントプロセッシング（CTU行セグメント）の関係を示す図である。TileGroup1, 3はWPP有効フラグが0でタイルベースCTUスキャン順、TileGroup0, 2, 4はWPP有効フラグが1でタイルグループベースCTUスキャン順である。
【図３７】タイルベースCTUスキャン順の導出方法を示すフローチャート図である。
【図３８】ピクチャ全体のCTUスキャンを導出する場合のフローチャートの例である。（a）は、切り替え単位がタイルグループの場合、（ｂ）は切り替え単位がピクチャの場合を示す。
【図３９】本実施形態の一形態のタイルグループヘッダのシンタックス構成を示す図である。
【図４０】本実施形態の一形態のタイルグループとウェーブフロントプロセッシング（CTU行セグメント）の関係を示す図である。
【図４１】本実施形態の一形態のタイルグループヘッダのシンタックス構成を示す図である。
【図４２】本実施形態の一形態のピクチャパラメータセットのシンタックス構成を示す図である。
【発明を実施するための形態】
【００１７】
（第１の実施形態）
以下、図面を参照しながら本発明の実施形態について説明する。
【００１８】
図1は、本実施形態に係る画像伝送システム１の構成を示す概略図である。
【００１９】
画像伝送システム１は、符号化対象画像を符号化した符号化ストリームを伝送し、伝送された符号化ストリームを復号し画像を表示するシステムである。画像伝送システム１は、動画像符号化装置（画像符号化装置）11、ネットワーク21、動画像復号装置（画像復号装置）31、及び動画像表示装置（画像表示装置）41を含んで構成される。
【００２０】
動画像符号化装置11には画像Tが入力される。
【００２１】
ネットワーク21は、動画像符号化装置11が生成した符号化ストリームTeを動画像復号装置31に伝送する。ネットワーク21は、インターネット（Internet）、広域ネットワーク（WAN:Wide Area Network）、小規模ネットワーク（LAN:Local Area Network）またはこれらの組み合わせである。ネットワーク21は、必ずしも双方向の通信網に限らず、地上デジタル放送、衛星放送等の放送波を伝送する一方向の通信網であっても良い。また、ネットワーク21は、DVD（Digital Versatile Disc:登録商標）、BD（Blue-ray Disc:登録商標）等の符号化ストリームTeを記録した記憶媒体で代替されても良い。
【００２２】
動画像復号装置31は、ネットワーク21が伝送した符号化ストリームTeのそれぞれを復号し、復号した１または複数の復号画像Tdを生成する。
【００２３】
動画像表示装置41は、動画像復号装置31が生成した１または複数の復号画像Tdの全部または一部を表示する。動画像表示装置41は、例えば、液晶ディスプレイ、有機ＥＬ（Electro-luminescence）ディスプレイ等の表示デバイスを備える。ディスプレイの形態としては、据え置き、モバイル、HMD等が挙げられる。また、動画像復号装置31が高い処理能力を有する場合には、画質の高い画像を表示し、より低い処理能力しか有しない場合には、高い処理能力、表示能力を必要としない画像を表示する。
【００２４】
＜演算子＞
本明細書で用いる演算子を以下に記載する。
【００２５】
>>は右ビットシフト、<<は左ビットシフト、&はビットワイズAND、|はビットワイズOR、|=はOR代入演算子であり、||は論理和を示す。
【００２６】
x?y:zは、xが真（0以外）の場合にy、xが偽（0）の場合にzをとる３項演算子である。
【００２７】
Clip3(a,b,c)は、cをa以上b以下の値にクリップする関数であり、c<aの場合にはaを返し、c>bの場合にはbを返し、その他の場合にはcを返す関数である（ただし、a<=b）。
【００２８】
abs(a)はaの絶対値を返す関数である。
【００２９】
Int(a)はaの整数値を返す関数である。
【００３０】
floor(a)はa以下の最大の整数を返す関数である。
【００３１】
ceil(a)はa以上の最小の整数を返す関数である。
【００３２】
a/dはdによるaの除算（小数点以下切り捨て）を表す。
【００３３】
＜符号化ストリームTeの構造＞
本実施形態に係る動画像符号化装置11および動画像復号装置31の詳細な説明に先立って、動画像符号化装置11によって生成され、動画像復号装置31によって復号される符号化ストリームTeのデータ構造について説明する。
【００３４】
図4は、符号化ストリームTeにおけるデータの階層構造を示す図である。符号化ストリームTeは、例示的に、シーケンス、およびシーケンスを構成する複数のピクチャを含む。図4(a)〜(f)は、それぞれ、シーケンスSEQを既定する符号化ビデオシーケンス、ピクチャPICTを規定する符号化ピクチャ、タイルグループを規定する符号化タイルグループ、タイルを規定するセグメント（例えば符号化タイル、CTU行、スライス）、セグメントに含まれる符号化ツリーユニット、符号化ツリーユニットに含まれる符号化ユニットを示す図である。
【００３５】
（符号化ビデオシーケンス）
符号化ビデオシーケンスでは、処理対象のシーケンスSEQを復号するために動画像復号装置31が参照するデータの集合が規定されている。シーケンスSEQは、図4(a)に示すように、シーケンスパラメータセットSPS（Sequence Parameter Set）、ピクチャパラメータセットPPS（Picture Parameter Set）、ピクチャPICT、及び、付加拡張情報SEI（Supplemental Enhancement Information）を含んでいる。
【００３６】
シーケンスパラメータセットSPSでは、対象シーケンスを復号するために動画像復号装置31が参照する符号化パラメータの集合が規定されている。例えば、ピクチャの幅、高さ、形状に関する情報や、復号ツールのオンオフに関する情報が規定される。なお、SPSは複数存在してもよい。その場合、PPSから複数のSPSの何れかを選択する。
【００３７】
ピクチャパラメータセットPPSでは、対象シーケンス内の各ピクチャを復号するために動画像復号装置31が参照する符号化パラメータの集合が規定されている。例えば、ピクチャを構成するタイルの個数、幅、高さに関する情報が含まれる。なお、PPSは複数存在してもよい。その場合、対象シーケンス内の各ピクチャから複数のPPSの何れかを選択する。
【００３８】
（符号化ピクチャ）
符号化ピクチャでは、処理対象のピクチャPICTを復号するために動画像復号装置31が参照するデータの集合が規定されている。ピクチャPICTは、図4(b)に示すように、タイルグループ0〜タイルグループNTG-1を含む（NTGはピクチャPICTに含まれるタイルの総数）。
【００３９】
（セグメント、タイルグループ）
セグメントとは、ピクチャを分割して送信するための単位であり、符号化データ上では、バイトアラインされたビット列として符号化、復号される。
【００４０】
タイル、CTU行、スライスは、各々、ピクチャを分割して送信するためのセグメントである。
【００４１】
セグメントグループ（タイルグループ）とは、CTUの集合であるセグメントのグループであり、セグメントグループと呼んでも良い。なお、各セグメントは、以下の特性を備える単位であり、並列に復号することができる。
・画面上ではCTUの集合に対応する
・符号化データ上ではバイト単位でアラインされる
・セグメント先頭でCABAC初期化を行う
・同じピクチャ内のセグメント間では予測を制限することができる（他のセグメントの参照が制限可能である）
予測の制限とは、例えば、セグメントがタイルの場合、対象タイルと異なるタイルの画像を用いたイントラ予測を行わない制限を行う。セグメントがスライスの場合も同様に、対象スライスと異なるスライスの画像を用いたイントラ予測を行わない制限を行う。
【００４２】
セグメントがWPPの場合には、対象CTU行と異なるCTU行の画像を用いたイントラ予測を一部許可する。具体的には、WPPでは、対象CTU行の上側のCTU行については参照可能とする。但し、対象CTU行の上側のCTU行では、対象CTUの水平座標を超えるCTUについては参照することができない。また、フラグにより参照をオンオフしてもよい。
【００４３】
タイルグループ（セグメントグループ）では、セグメントに共通なヘッダを、セグメントで１回のみ符号化することによって、符号化効率的を向上させる効果を奏する。
【００４４】
図5はピクチャを４つのタイルグループTileGr0〜TileGr3に分割した図である。タイルグループはさらに１つ以上のセグメントに分割することができる。TileGrの後の番号（図では0〜3）は、タイルグループの識別子であり、ピクチャの左上から右下にラスタスキャン順に設定される。タイルグループ識別子はタイルグループ毎に異なる値であり、スキャン順に単調増加する値である。
【００４５】
図6(a)はセグメントがタイルである場合において、タイルアドレスを説明する図である。図のタイル(Tile)の後の番号はピクチャ内のタイルのアドレス（TileAddrInPic）である。TileAddrInPicはピクチャの左上から右下にラスタスキャン順に設定される。図のタイルグル―プTileGr0はタイルTile0、Tile1、Tile4、Tile5を含む。TileGr1はTile2、Tile3、Tile6、Tile7を含む。TileGr2はTile8、Tile9を含む。TileGr3はTile10、Tile11を含む。タイルアドレスとしてTileAddrInPicを使う場合は、タイルグループ内でタイルアドレスは連続しない。
【００４６】
図6(b)はセグメントがタイルである場合において、タイルアドレスを説明する別の図である。図のタイルTileの後の番号はタイルグループ内のタイルのアドレス（TileAddrInTG）である。TileAddrInTGはタイルグループの左上から右下にラスタスキャン順に設定される。図のタイルグル―プTileGr0はタイルTile0、Tile1、Tile2、Tile3を含む。TileGr1はTile4、Tile5、Tile6、Tile7を含む。TileGr2はTile8、Tile9を含む。TileGr3はTile10、Tile11を含む。タイルアドレスとしてTileAddrInTGを使う場合は、タイルグループ内でタイルアドレスは連続する。
【００４７】
（符号化タイルグループ）
符号化タイルグループでは、処理対象のタイルグループを復号するために動画像復号装置31が参照するデータの集合が規定されている。タイルグループは、図4(c)に示すように、タイルグループヘッダ、および、タイルグループデータを含んでいる。さらに、タイルグループデータの後にバイトアライン用のトレイリングデータ（rbsp_tile_group_trailing_bits）を含んでもよい。
【００４８】
図7は、本実施形態のタイルグループの符号化又は復号を説明するフローチャートである。各ステップを実行する構成部材は図9、図24に記載されており、後述する。
【００４９】
S2001：ヘッダ符号化部1110又はヘッダ復号部3020は、タイルグループヘッダを符号化又は復号する。
【００５０】
S2002：CT情報符号化部1111又はCT情報復号部3021は、タイルグループデータを符号化又は復号する。
【００５１】
S2003：ヘッダ符号化部1110又はヘッダ復号部3020は、トレイリングデータを符号化又は復号する。トレイリングデータは、バイトアライン用のビット列を含んでいてもよい。またバイトアライメントの前にさらに区切りを示すビット列を含んでいてもよい。
【００５２】
タイルグループヘッダには、対象タイルグループの復号方法を決定するための符号化パラメータ群や、タイルグループのタイルに共通するパラメータが含まれる。タイルグループデータは、タイルグループに含まれる１つ以上のセグメントの符号化データから構成される。セグメントはCTUから構成される。セグメントがタイルである場合、タイルグループデータは１つ以上の符号化タイルから構成される。
【００５３】
（タイルグループヘッダ）
タイルグループヘッダは、タイルグループタイプ指定情報（tile_group_type）を含んでもよい。
【００５４】
タイルグループタイプ指定情報により指定可能なタイルグループタイプとしては、（１）符号化の際にイントラ予測のみを用いるＩタイルグループ、（２）符号化の際に単方向予測、または、イントラ予測を用いるＰタイルグループ、（３）符号化の際に単方向予測、双方向予測、または、イントラ予測を用いるＢタイルグループなどが挙げられる。なお、インター予測は、単予測、双予測に限定されず、より多くの参照ピクチャを用いて予測画像を生成してもよい。以下、P、Bタイルグループと呼ぶ場合には、インター予測を用いることができるブロックを含むタイルグループを指す。
【００５５】
なお、タイルグループヘッダは、ピクチャパラメータセットPPSへの参照（tile_group_pic_parameter_set_id）を含んでいても良い。
【００５６】
（符号化タイル）
符号化タイルでは、処理対象のタイルを復号するために動画像復号装置31が参照するデータの集合が規定されている。タイルは図4(d)に示すようにCTUを含む。CTUはタイルを構成する固定サイズ（例えば128x128）のブロックであり、最大符号化単位（LCU:Largest Coding Unit）と呼ぶこともある。
【００５７】
（タイル、ＷＰＰ、スライス）
図8(a)は、タイルグループTileGr0を複数のタイルTile0〜Tile3（太い実線の矩形）に分割する例である。タイルは１つ以上のCTUから構成される矩形のセグメントである。各CTUのアドレス（タイルスキャン順のCTUアドレスctbAddrTs）は各タイルの左上から右下にラスタスキャン順に設定される。
【００５８】
図8(b)はタイルグループを複数のCTU行に分割する例である。図に示すように、CTU行は１行（高さがCTU高さ、幅がセグメント幅）のCTUの集合から構成されるセグメントである。後述するように、CTU行のセグメントはWPPで用いられる。
【００５９】
図8(c)はタイルグループを連続するCTUの集合に分割する例である。図に示すように、スライスは、CTUの集合から構成されるセグメントである。
【００６０】
（符号化ツリーユニット）
図4(e)には、処理対象のCTUを復号するために動画像復号装置31が参照するデータの集合が規定されている。CTUは、再帰的な４分木分割（QT（Quad Tree）分割）、２分木分割（BT（Binary Tree）分割）あるいは３分木分割（TT（Ternary Tree）分割）により符号化処理の基本的な単位である符号化ユニットCUに分割される。BT分割とTT分割を合わせてマルチツリー分割（MT（Multi Tree）分割）と呼ぶ。再帰的な４分木分割により得られる木構造のノードのことを符号化ノード（Coding Node）と称する。４分木、２分木、及び３分木の中間ノードは、符号化ノードであり、CTU自身も最上位の符号化ノードとして規定される。
【００６１】
（符号化ユニット）
図4(f)に示すように、処理対象の符号化ユニットを復号するために動画像復号装置31が参照するデータの集合が規定されている。具体的には、CUはCUヘッダ、予測パラメータ、変換パラメータ、量子化変換係数等から構成される。CUヘッダでは予測モード等が規定される。
【００６２】
（動画像復号装置の構成）
本実施形態に係る動画像復号装置31（図9）の構成について説明する。
【００６３】
動画像復号装置31は、パラメータ復号部（予測画像復号装置）302、ループフィルタ305、参照ピクチャメモリ306、予測パラメータメモリ307、予測画像生成部（予測画像生成装置）308、逆量子化・逆変換部311、及び加算部312を含んで構成される。なお、後述の動画像符号化装置11に合わせ、動画像復号装置31にループフィルタ305が含まれない構成もある。パラメータ復号部302は、さらに、エントロピー復号部301、ヘッダ復号部3020、CT情報復号部3021、及びCU復号部3022を備えており、CU復号部3022はさらにTU復号部3024を備えている。
【００６４】
（復号モジュール）
以下、各モジュールの概略動作を説明する。パラメータ復号部302はヘッダ情報、分割情報、予測情報、量子化変換係数等のパラメータの復号処理を行う。
【００６５】
エントロピー復号部301は、バイナリデータからシンタックス要素を復号する。エントロピー復号部301は、より具体的には、供給元から入力されるシンタックス要素に基づいて、CABAC等のエントロピー符号化方式による符号化データから、シンタックス要素を復号して供給元に返す。以下に示す例では、シンタックス要素の供給元は、CT情報復号部3021、CU復号部3022である。
【００６６】
（基本フロー）
図10は、動画像復号装置31の概略的動作を説明するフローチャートである。
【００６７】
（S1100：パラメータセット情報復号）ヘッダ復号部3020は、符号化データからSPS、PPSなどのパラメータセット情報とタイル情報を復号する。
【００６８】
タイルの分割数やサイズに関する情報をタイル情報と呼ぶ。タイルの幅ColWidth、高さRowHeightは、ピクチャの幅PicWidthInCtbsYと高さPicHeightInCtbsY、ピクチャ内の水平、垂直方向のタイル数NumTileColumns、NumTileRowsを用いて導出する。ColWidth、RowHeight、PicWidthInCtbsY、PicHeightInCtbsYの単位はCTUである。ヘッダ復号部3020はピクチャの画素単位の幅pic_width_in_luma_samples、高さpic_height_in_luma_samples、CTUサイズの対数値から2を引いた値log2_ctu_size_minus2を用いて下式で導出する。pic_width_in_luma_samples、pic_height_in_luma_samples、log2_ctu_size_minus2は図11(a)のsequence_parameter_set_rbsp()（SPSと称す）で通知（シグナル）される。以下、ある情報を「通知」するとは、ある情報を符号化データ（ビットストリーム）に含めることを意味し、動画像符号化装置では当該情報を符号化し、動画像復号装置では当該情報を復号する。
【００６９】
ctuWidth = ctuHeight = 1<<(log2_ctu_size_minus2+2)
PicWidthInCtbsY = Ceil(pic_width_in_luma_samples/ctuWidth)
PicHeightInCtbsY = Ceil(pic_height_in_luma_samples/ctuHeight)
ここでの除算(/)は小数精度とする。
【００７０】
ピクチャ内の水平、垂直方向のタイル数NumTileColumns、NumTileRowsは図11(b)のPPS（pic_parameter_set_rbsp()）で通知される。例えば、タイル情報はsingle_tile_in_pic_flag、num_tile_columns_minus1、num_tile_rows_minus1、uniform_tile_spacing_flag、tile_column_width_minus1[i]、tile_row_height_minus1[i]であってもよい。ここで、single_tile_in_pic_flagはピクチャに複数のタイルがあるか否かを示すフラグで、１であればピクチャ内のタイルは１つであり、ピクチャはタイルに相当する。０であればピクチャに複数のタイルが含まれる。num_tile_columns_minus1、num_tile_rows_minus1は各々ピクチャ内の水平、垂直方向のタイル数NumTileColumns、NumTileRowsから各々1を引いた値である。uniform_spacing_flagはピクチャが可能な限り均等にタイル分割されるか否かを示すフラグである。
【００７１】
ヘッダ復号部3020は、ピクチャ内の水平、垂直方向のタイル数NumTileColumns、NumTileRows、および、ピクチャ内のタイルの総数NumTilesInPicを以下で導出する。
【００７２】
NumTileColumns = num_tile_columns_minus1+1
NumTileRows = num_tile_rows_minus1+1
NumTilesInPic = NumTileColumns*NumTileRows
ヘッダ復号部3020は、下式でタイルサイズを導出してもよい。
【００７３】
for(m=0;m<NumTileColumns;m++)
ColWidth[m] = (m+1)*PicWidthInCtbsY/NumTileColumns-m*PicWidthInCtbsY/NumTileColumns
for(n=0;n<NumTileRows;n++)
RowHeight[n] = (n+1)*PicHeightInCtbsY/NumTileRows-n*PicHeightInCtbsY/NumTileRows
uniform_spacing_flagの値が0の場合、ピクチャの各タイルの幅、高さは個別に設定される。動画像符号化装置では各タイルの幅ColWidth[m]、高さRowHeight[n]をタイル毎に符号化する。動画像復号装置のヘッダ復号部3020はタイル毎にColWidth[m]、RowHeight[n]を下記のように復号する。
【００７４】
ColWidth[m] = tile_column_width_minus1[m]+1  (0<=m<NumTileColumns-1)
RowHeight[n] = tile_row_height_minus1[m]+1    (0<=n<NumTileRows-1)
ColWidth[NumTileColumns-1] = PicWidthInCtbsY-sum_m(ColWidth[m])
RowHeight[NumTileRows-1] = PicHeightInCtbsY-sum_n(RowHeight[n])
ここで、sum_m(ColWidth[m])は、ColWidth[m](0<=m<NumTileColumns-1)の総和、sum_n(RowHeight[n])はRowHeight[n](0<=n<NumTileRows-1)の総和を表す。
【００７５】
（S1200：タイルグループ情報復号）ヘッダ復号部3020は、符号化データからタイルグループヘッダ（タイルグループ情報）を復号する。
【００７６】
図12(a)は符号化タイルグループのタイルグループヘッダを示すシンタックスである。タイルグループヘッダでは、tile_group_pic_parameter_set_id、tile_group_address、num_tiles_in_tile_group_minus1、tile_group_type、および、entry_point()が通知される。tile_group_pic_parameter_set_idは当該タイルグループが含まれるピクチャのピクチャパラメータセット識別子pps_pic_parameter_set_idを示す。tile_group_addressはタイルグループ内の最初のタイルのタイルアドレスを示し、0〜NumTilesInPic-1の範囲の値である。同じピクチャに含まれるタイルグループのtile_group_addressは互いに異なる値である。num_tiles_in_tile_group_minus1+1はタイルグループ内のタイルの個数を示す。tile_group_typeはタイルグループの符号化タイプ（Iタイルグループ、Pタイルグループ、Bタイルグループ）を示す。entry_point()はエントリポイントのシンタックスであり、図12(b)に一例を示す。
【００７７】
パラメータ復号部302は、まずtile_group_pic_parameter_set_idを復号する。次に、タイルグループ内のタイルの個数NumTilesInPicが１より大きい場合に、tile_group_addressとnum_tiles_in_tile_group_minus1を復号する。そうでない（NumTilesInPic==1）場合は、tile_group_addressとnum_tiles_in_tile_group_minus1に各々０をセットする。次にtile_group_typeを復号する。
【００７８】
パラメータ復号部302は、タイルグループに複数のタイルが含まれる場合（num_tiles_in_tile_group_minus1>0）、offset_len_minus1とNumEntryPoint個のエントリポイントentry_point_offset_minus1[i]を復号する。セグメントがタイルの場合、NumEntryPointはnum_tiles_in_tile_group_minus1に設定される。タイルグループ内のタイルが１個の場合（num_tiles_in_tile_group_minus1=0）、パラメータ復号部302はエントリポイントを復号しない。
【００７９】
エントリポイントは符号化データ中のセグメントの先頭アドレス（例えば、対象セグメントが属するタイルグループヘッダの符号化データ上の開始点もしくは先行するセグメントの開始点をゼロ点とした、バイト単位のオフセット位置）であり、セグメントがタイルの場合は各タイルの先頭アドレスである。entry_point_offset_minus1[i]+1は、符号化データ中のi+1番目のエントリポイントとi番目のエントリポイントとの差分値であってもよい。0番目のエントリポイントはタイルグループヘッダの先頭アドレス（タイルグループヘッダ開始点の位置、すなわちゼロ点）であり、通知されない。offset_len_minus1+1はentry_point_offset_minus1[i]を表すビット数である。
【００８０】
対象セグメントが属するタイルグループヘッダの符号化データ上の開始点をゼロ点としたバイト単位のオフセット位置をfirstByte[k]、セグメント終端のバイト単位のオフセット位置をlastByte[k]と表現すると、entry_point_offset_minus1[i]から以下のように導出できる。
【００８１】
firstByte[k] = Σ(entry_point_offset_minus1[n-1]+1)
Σはn=1からkまでの和を表す。
【００８２】
以下、動画像復号装置31は、対象ピクチャに含まれる各CTUについて、S1300からS5000の処理を繰り返すことにより各CTUの復号画像を導出する。
【００８３】
（S1300：CTU情報復号）CT情報復号部3021は、符号化データからCTUを復号する。CT（Coding Tree）情報は符号化ツリーの分割情報を含む。
【００８４】
図12(c)は符号化タイルグループのタイルグループデータのシンタックスの一例である。タイルグループデータでは、タイルグループのCTUデータcoding_tree_unit()が符号化又は復号され、セグメント最後で固定値のセグメント終端ビットend_of_tile_one_bitが符号化又は復号される。
【００８５】
CT情報復号部3021は、セグメントがタイルの場合に、タイル終端（タイル右下）のCTUで、固定値のend_of_tile_one_bitを復号し、バイトアラインのためのビット列byte_alignment()を復号する。なお、byte_alignment()の復号は、iがnum_tiles_in_tile_group_minus1より小さい場合に限定しても良い。つまり、タイルグループ中の最後のセグメント（i==num_tiles_in_tile_group_minus1）では、その後にバイトアライメント用のトレイリングデータを復号するため、byte_alignment()の復号を省略できる。
【００８６】
CT情報復号部3021は、tileIdxにtile_group_addressをセットする。tileIdxはタイルの識別子、tile_group_addressはタイルグループ内の最初のタイルのタイルアドレスである。tileIdxを用いてタイルグループの各タイルを識別するため、CT情報復号部3021はタイルを処理する毎にtileIdxを１インクリメントする。
【００８７】
CT情報復号部3021は、tileIdxとFirstCtbAddrTs[]を用いて、タイル内のタイルスキャン順のCTUアドレスctbAddrTsを下式で導出する。タイルスキャンとは、タイル内で、タイルの左上から右下に順に処理を進めるスキャン方法である。
【００８８】
ctbAddrTs = FirstCtbAddrTs[tileIdx]
FirstCtbAddrTs[]はtileIdxをタイルの最初のCTUアドレスに変換するテーブルであり、下記のように導出される。
【００８９】
for (ctbAddrTs=0,tileIdx=0,tileStartFlag=1; ctbAddrTs<PicSizeInCtbsY; ctbAddrTs++) {
if (tileStartFlag) {
FirstCtbAddrTs[tileIdx] = ctbAddrTs
tileStartFlag = 0
}
tileEndFlag = (ctbAddrTs==PicSizeInCtbsY-1) || (TileId[ctbAddrTs+1]!=TileId[ctbAddrTs])
if(tileEndFlag) {
tileIdx++
tileStartFlag = 1
}
}
ここでTileId[]はタイルスキャン順のCTUアドレスをタイル識別子に変換するテーブルである。一例を以下に示す。
【００９０】
for (j=0,tileIdx=0; j<=num_tile_rows_minus1; j++)
for (i=0; i<=num_tile_columns_minus1; i++,tileIdx++)
for (y=RowBd[j]; y<RowBd[j+1]; y++)
for (x=ColBd[i]; x<ColBd[i+1]; x++)
TileId[CtbAddrRsToTs[y*PicWidthInCtbsY+x]] = TileIdx
ここでRowBD[]とColBD[]は各タイル行の垂直方向の最大座標と各タイル列の水平方向の最大座標を格納するテーブルであり、CTU単位で表現される。一例を以下に示す。
【００９１】
For (RowBd[0]=0,j=0; j<=num_tile_rows_minus1; j++)
RowBd[j+1] = RowBd[j]+RowHeight[j]
For (ColBd[0]=0,i=0; i<=num_tile_columns_minus1; i++)
ColBd[i+1] = ColBd[i]+ColWidth[i]
（ピクチャ内のCTUスキャン順の導出方法１）
また、CtbAddrRsToTs[]はピクチャ内のラスタスキャン順のCTUアドレスをタイルスキャン順のCTUアドレスに変換するテーブルである。CT情報復号部3021は、以下の処理によって、CtbAddrRsToTs[]を導出してもよい。この導出方法は、ピクチャ内をタイル順にラスタスキャンを行い、さらにタイル内をCTU順でラスタスキャンする場合のCTUのスキャン順に相当する。なおCTUをCTBと呼んでも良い。CTUスキャン順をCTBスキャン順と呼んでも良い。
【００９２】
for (ctbAddrRs=0; ctbAddrRs<PicSizeInCtbsY; ctbAddrRs++) {
tbX = ctbAddrRs%PicWidthInCtbsY
tbY = ctbAddrRs/PicWidthInCtbsY
for(i=0; i<=num_tile_columns_minus1; i++)
if(tbX>=ColBd[i]) tileX = i
for(j=0; j<=num_tile_rows_minus1; j++)
if(tbY>=RowBd[j]) tileY = j
CtbAddrRsToTs[ctbAddrRs] = 0
for(i=0; i<tileX; i++)
CtbAddrRsToTs[ctbAddrRs] += RowHeight[tileY]*ColWidth[i]
for(j=0; j<tileY; j++)
CtbAddrRsToTs[ctbAddrRs] += PicWidthInCtbsY*RowHeight[j]
CtbAddrRsToTs[ctbAddrRs] += (tbY-RowBd[tileY])*ColWidth[tileX]+tbX-ColBd[tileX]
}
（ピクチャ内のCTUスキャン順の導出方法０）
CT情報復号部3021は、ctbAddrTsとCtbAddrTsToRs[]を用いて、ラスタスキャン順のCTUアドレスctbAddrRsを下式で導出する。
【００９３】
ctbAddrRs = CtbAddrTsToRs[ctbAddrTs]
CtbAddrTsToRs[]はタイルスキャン順のCTUアドレスをラスタスキャン順のCTUアドレスに変換するテーブルであり、下記のように導出される。
【００９４】
for (ctbAddrRs=0; ctbAddrRs<PicSizeInCtbsY; ctbAddrRs++)
CtbAddrTsToRs[CtbAddrRsToTs[ctbAddrRs]] = ctbAddrRs
なお、CtbAddrTsToRs[]とCtbAddrTsToRs[]の導出は、動画像符号化装置11では、CT情報符号化部1111で行う。ヘッダ符号化部1110及びヘッダ復号部3020で行ってもよい。
【００９５】
また、CtbAddrTsToRs[]を先に導出して、CtbAddrTsToRs[]を用いて以下の式でCtbAddrRsToTs[]を導出してもよい。
【００９６】
for (ctbAddrTs=0; ctbAddrTs<PicSizeInCtbsY; ctbAddrTs++)
CtbAddrRsToTs[CtbAddrTsToRs[ctbAddrTs]] = ctbAddrTs
CT情報復号部3021はタイル内の各CTUをタイルスキャン順に復号し、全てのCTUの復号終了後、end_of_tile_one_bitを復号する。
【００９７】
（S1400：CT情報復号）CT情報復号部3021は、符号化データからCTを復号する。
【００９８】
（S1500：CU復号）CU復号部3022はS1510、S1520を実施して、符号化データからCUを復号する。
【００９９】
（S1510：CU情報復号）CU復号部3022は、符号化データからCU情報、予測情報、TU分割フラグsplit_transform_flag、CU残差フラグcbf_cb、cbf_cr、cbf_luma等を復号する。
【０１００】
（S1520：TU情報復号）TU復号部3024は、TUに予測誤差が含まれている場合に、符号化データからQP更新情報（量子化補正値）と量子化予測誤差（residual_coding）を復号する。なお、QP更新情報は、量子化パラメータQPの予測値である量子化パラメータ予測値qPpredからの差分値である。
【０１０１】
（S2000：予測画像生成）予測画像生成部308は、対象CUに含まれる各ブロックについて、予測情報に基づいて予測画像を生成する。
【０１０２】
（S3000：逆量子化・逆変換）逆量子化・逆変換部311は、対象CUに含まれる各TUについて、逆量子化・逆変換処理を実行する。
【０１０３】
（S4000：復号画像生成）加算器312は、予測画像生成部308より供給される予測画像と、逆量子化・逆変換部311より供給される予測誤差とを加算することによって、対象CUの復号画像を生成する。
【０１０４】
（S5000：ループフィルタ）ループフィルタ305は、復号画像にデブロッキングフィルタ、SAO、ALFなどのループフィルタをかけ、復号画像を生成する。
【０１０５】
（変形例１）タイルグループ毎にタイルサイズを変更する例
上述の例では、ピクチャ単位（PPS）でタイルの幅と高さを規定したが、変形例１ではピクチャを分割するタイルグループ毎にフレキシブルにタイルサイズを設定する例を説明する。
【０１０６】
図13はピクチャを４つのタイルグループTileGr0〜TileGr3に分割し、さらにタイルグループをタイルに分割する例である。図6のタイル分割とは異なり、タイルグループ毎に異なるタイルの幅と高さを設定することが特徴である。図のTileの後の番号はタイルグループ内のタイルのアドレス（TileAddrInTG）である。図のタイルグル―プTileGr0はタイルTile0、Tile1、Tile2、Tile3を含む。TileGr1はTile4、Tile5を含む。TileGr2はTile6、Tile7、Tile8を含む。TileGr3はTile9を含む。
【０１０７】
図14に変形例１のシンタックスの一例を示す。図に示すように、シンタックスは例えば、single_tile_group_in_pic_flag、num_tile_group_columns_minus1、num_tile_rows_group_minus1、tile_group_column_width_minus1[i]、tile_group_row_height_minus1[i]であってもよい。
【０１０８】
ここで、single_tile_group_in_pic_flagはピクチャに複数のタイルグループがあるか否かを示すフラグで、１であればピクチャ内のタイルグループは１つであり、ピクチャはタイルグループに相当する。０であればピクチャに複数のタイルグループが含まれる。num_tile_group_columns_minus1、num_tile_group_rows_minus1は各々ピクチャ内の水平、垂直方向のタイルグループ数NumTileGrColumns、NumTileGrRowsから各々1を引いた値である。
【０１０９】
次にタイルグループ毎にタイルのシンタックスが通知される。例えば、j番目のタイルグループ内の各タイルに対し、single_tile_in_pic_flag[j]、num_tile_columns_minus1[j]、num_tile_rows_minus1[j]、uniform_tile_spacing_flag[j]、tile_column_width_minus1[j][i]、tile_row_height_minus1[j][i]が通知される。各シンタックスの意味は図11(b)のシンタックスと同じである。
【０１１０】
ヘッダ復号部3020はj番目のタイルグループの幅と高さ（CTU単位）を以下で導出する。
【０１１１】
TileGrWidthInCtbsY[j] = Ceil((tile_group_column_width_minus1[j]+1)/ctuWidth)
TileGrHeightInCtbsY[j] = Ceil((tile_group_rows_height_minus1[j]+1)/ctuHeight)
ヘッダ復号部3020は、ピクチャ内の水平、垂直方向のタイルグループ数NumTileGrColumns、NumTileGrRows、および、ピクチャ内のタイルグループの総数NumTileGrsInPicを以下で導出する。
【０１１２】
NumTileGrColumns = num_tile_group_columns_minus1+1
NumTileGrRows = num_tile_group_rows_minus1+1
NumTilesGrsInPic = NumTileGrColumns*NumTileGrRows
ヘッダ復号部3020は、j番目のタイルグループ内の水平、垂直方向のタイル数NumTileColumns[j]、NumTileRows[j]、および、タイルグループ内のタイルの総数NumTilesInPic[j]を以下で導出する。
【０１１３】
NumTileColumns[j] = num_tile_columns_minus1[j]+1
NumTileRows[j] = num_tile_rows_minus1[j]+1
NumTilesInPic[j] = NumTileColumns[j]*NumTileRows[j]
ヘッダ復号部3020はj番目のタイルグループの各タイルの幅ColWidth[j][m]、高さRowHeight[j][n]を下記のように復号する。
【０１１４】
ColWidth[j][m] = tile_column_width_minus1[j][m]+1  (0<=m<NumTileColumns[j]-1)
RowHeight[j][n] = tile_row_height_minus1[j][m]+1    (0<=n<NumTileRows[j]-1)
ColWidth[j][NumTileColumns[j]-1] = TileGrWidthInCtbsY[j]-sum_m(ColWidth[j][m])
RowHeight[j][NumTileRows[j]-1] = TileGrHeightInCtbsY[j]-sum_n(RowHeight[j][n])
ここで、sum_m(ColWidth[j][m])は、ColWidth[j][m] (0<=m<NumTileColumns[j]-1)の総和、sum_n(RowHeight[j][n])はRowHeight[j][n] (0<=n<NumTileRows[j]-1)の総和を表す。
【０１１５】
変形例１では、タイルグループヘッダ、タイルグループデータのシンタックスは図12(a)および図12(c)と同じであるが、タイルスキャン順のCTUアドレスをタイル識別子に変換するテーブルTileId[]の導出方法が異なる。変形例１におけるこのテーブルの導出方法を以下に示す。
【０１１６】
for (k=0; k<NumTileGrRows; k++)
for (l=0; l<NumTileGrColumns; l++)
for (j=0,tileIdx=0; j<=num_tile_rows_minus1[k]; j++)
for(i=0; i<=num_tile_columns_minus1[l]; i++,tileIdx++)
for(y=RowBd[k][j]; y<RowBd[k][j+1]; y++)
for(x=ColBd[l][i]; x<ColBd[l][i+1]; x++)
TileId[CtbAddrRsToTs[y*PicWidthInCtbsY+x]] = TileIdx
それ以外のヘッダ復号部3020の処理は、上述のPPSでタイルの幅と高さを規定する例と同じである。
【０１１７】
以上のように、タイルグループ毎にタイルの幅と高さを示すシンタックスを符号化又は復号することで、タイルグループ毎に異なるサイズのタイルを用いることができ、よりフレキシブルなタイル分割が可能になる。
【０１１８】
（ウェーブフロント並列処理）
ウェーブフロント並列処理（WPP：Wavefront Pararrel Processing）は、CTU行をセグメントとして用いることにより、符号化効率の低下を抑えながら多数のセグメントの並列符号化又は並列復号を実現できる。
【０１１９】
（セグメントグループ内の排他構成）
図15は、タイルグループ（セグメントグループ）単位で、異なる種類のセグメントを利用する例を示す。この例では、TileGr0、TileGr1では、セグメントとしてタイルを用い、TileGr2ではセグメントとしてCTU行を用い、TileGr3ではセグメントとしてスライスを用いる例を示す。
【０１２０】
以降の実施形態では、１つのセグメントグループ内（タイルグループ内）では、セグメントの種別を１つに制限し、タイル、CTU行、スライスを排他的に処理することを特徴とする。すなわち、１つのタイルグループ内（セグメントグループ）では、タイルセグメント（複数のタイルセグメント）、CTU行セグメント、スライスセグメントのいずれか１つのみを有効にすることができる。例えば、１つのタイルグループ内では、タイルとCTU行の何れか一方のみを有効にすることができる。上記でタイルを有効にするとは、タイルグループが2つ以上のタイルから構成されている場合（タイルグループを2つ上のタイルに分割する）を意味する。
【０１２１】
（変形例２）セグメントがタイルとCTU行をとりうる場合の処理
変形例２ではセグメントはタイル、CTU行（CTU row）のいずれかであり、タイルグループ単位でタイルとCTUのいずれか一方を使用する場合を説明する。
【０１２２】
図16は、タイルセグメントとCTU行セグメントの排他構成を説明する図である。
【０１２３】
entropy_coding_sync_enabled_flagは、CTU行をセグメントとするか（WPPを実施するか）否かを示すフラグ（WPP有効フラグ）である。なお、CTU行をセグメントとする場合には、CABACの同期処理を行う。すなわち、1つ上のCTU行の2番目のCTUが終了した時点のCABAC状態を用いて、CTU行の先頭CTUのCABAC初期化を行う。図に示すように、num_tiles_in_tile_group_minus1が０より大きい場合に、つまりタイルが複数の場合にはentropy_coding_sync_enabled_flagは０のみをとる。この場合、複数タイルのみが有効になる。num_tiles_in_tile_group_minus1が０の場合、つまりタイルが１つの場合には、entropy_coding_sync_enabled_flagは１をとりうる。この場合、複数CTU行（ウェーブフロント）のみが有効になる。最後にnum_tiles_in_tile_group_minus1が０、かつ、entropy_coding_sync_enabled_flagは０の場合は、タイルグループ内のタイルが１個の場合である。後述するように、この場合はスライスを有効としても良い。
【０１２４】
なお、entropy_coding_sync_enabled_flagが１の場合に、1つ上のCTU行の先頭CTU処理が終了した時点のCABAC状態を用いて、CTU行の先頭CTUのCABAC初期化を行ってもよい。
【０１２５】
上記、構成によって、１つのタイルグループ（セグメントグループ内）で、タイルとウェーブフロントのエントリポイントを共通化できるという効果を奏する。
【０１２６】
また、あるタイルグループではタイル（複数タイル）を有効にし、別のタイルグループではウェーブフロントを有効にすることができる効果を奏する。
【０１２７】
変形例２では、タイルとウェーブフロントの排他構成を実現するため、タイルグループ内のタイルの個数が１（タイルグループとタイルが同じ、つまり対象タイルグループでは複数タイルを有効にしない）の場合はentropy_coding_sync_enabled_flagフラグを通知することによって、セグメントとしてCTU行を利用可能とし、そうでない（タイルグループが複数のタイルを含む）場合はセグメントとしてタイルを利用する。従って、図5のようにピクチャを４つのタイルグループに分割する場合、各タイルグループは図8(a)に示すように複数のタイルに分割される場合と、図8(b)に示すように複数のCTU行に分割される場合と、タイルグループが１つのタイルで構成される場合（タイルグループ内のタイルが１つの場合、かつ、CTU行で分割されない場合）がある。
【０１２８】
タイルグループに含まれる、複数のタイル又は複数のCTU行を、並列で符号化又は復号するために、タイル又はCTU行の先頭アドレス（エントリポイント）は、タイルグループヘッダで符号化又は復号する。
【０１２９】
図17は、タイルとウェーブフロントの排他構成を備える構成のヘッダ符号化部1110及びヘッダ復号部3020の動作を説明する図である。図18(a)に本実施形態の符号化および復号するタイルグループヘッダのシンタックス構成を示す。
【０１３０】
図のフローチャート及びシンタックス構成に示すように、ヘッダ符号化部1110又はヘッダ復号部3020は、num_tiles_in_tile_group_minus1が０（S3001でYES）の場合、すなわちタイルグループ内にタイルが１つの場合、entropy_coding_sync_enabled_flagを符号化又は復号する（S3002）。そうでない場合、entropy_coding_sync_enabled_flagを０（WPPオフ）にセットする。
【０１３１】
if (num_tiles_in_tile_group_minus1 == 0)
entropy_coding_sync_enabled_flag
else
entropy_coding_sync_enabled_flag=0
図18(b)は、エントリポイントのシンタックス構成を示す図である。図中TileGrHeightInCtbsYはタイルグループのCTU単位の高さであり、num_tiles_in_tile_group_minus1はタイルグループのタイル数から１を引いた値である。
【０１３２】
ヘッダ符号化部1110又はヘッダ復号部3020は、エントリポイントの数NumEntryPointを導出する。タイルグループに含まれるセグメントがWPPを使用する場合（entropy_coding_sync_enabled_flag=1の場合）、タイルグループに含まれるCTU行の数-1（ここではTileGrHeightInCtbsY-1）をNumEntryPointにセットする。
【０１３３】
NumEntryPoint = TileGrHeightInCtbsY-1
それ以外、タイルグループに含まれるタイル数-1（ここではnum_tiles_in_tile_group_minus1）をNumEntryPointにセットする。
【０１３４】
NumEntryPoint＝num_tiles_in_tile_group_minus1
ヘッダ符号化部1110又はヘッダ復号部3020は、NumEntryPointが０より大きい場合にエントリポイントの情報（offset_len_minus1とNumEntryPoint個のentry_point_offset_minus1）を符号化又は復号する。
【０１３５】
図18(c)は、タイルグループデータのシンタックス構成を示す図である。coding_tree_unit()はCTU行に含まれるCTUの符号化データである。end_of_subset_one_bitはセグメントの終端を示すフラグである。
【０１３６】
CT情報符号化部1111又はCT情報復号部3021は、タイルグループ内のタイルを処理するループ処理（ループ変数i）において、さらにタイル内のCTUに関するループ処理（ループ変数j）において、対象CTU coding_tree_unit()を符号化又は復号する。
【０１３７】
CT情報符号化部1111又はCT情報復号部3021は、ctbAddrTsとFirstCtbAddrTs[]を用いてctbAddrInTileを下式で導出する。ctbAddrInTileはタイル内での現CTUのアドレス、ctbAddrTsは現CTUのタイルスキャン順のアドレス、FirstCtbAddrTs[]はタイルグループの最初のCTUのアドレスである。
【０１３８】
ctbAddrInTile = ctbAddrTs-FirstCtbAddrTs[tile_group_address]
なお、タイル内のCTUをあるループ変数であるインデックスjを用いて０から、タイルグループ内のタイル数NumCtusInTile[tileIdx]までループして、CTU(coding_tree_unit())を復号する構成においては、ctbAddrInTile = jである。
【０１３９】
CT情報符号化部1111又はCT情報復号部3021は、WPPがオンの場合、CTU行の復号終了後にend_of_subset_one_bitを符号化又は復号する。end_of_subset_one_bitはCTU行の最後に挿入するビットである。CTU行の最後か否かは下式で判定する。
【０１４０】
entropy_coding_sync_enabled_flag && (CtbAddrInTile+1)%TileWidthInCtbsY==0
つまり、CT情報復号部3021は、(entropy_coding_sync_enabled_flag && (CtbAddrInTile+1)%TileWidthInCtbsY==0)の場合、すなわち、entropy_coding_sync_enabled_flagが１の場合、CTU行右端でCTU復号後に固定値のend_of_subset_one_bitを復号する。また、対象CTUがCTU行の先頭（左端）である場合、対象CTU coding_tree_unit()を符号化又は復号する前に、セグメント（ここではCTU行）の最後を示すビット列を復号することでも同じ処理ができる。例えば、また対象CTU coding_tree_unit()の前に、entropy_coding_sync_enabled_flag && ((CtbAddrInTile)%TileWidthInCtbsY)==0 && CtbAddrInTile!=0の判定でend_of_subset_one_bitを符号化又は復号してもよい。
【０１４１】
なお、対象タイルのCTU幅TileWidthInCtbsYは以下のように導出してもよい。
TileWidthInCtbsY = ColWidth[tileIdx % (num_tile_columns_minus1 + 1) ]
ここで、tileIdxは、対象タイルのラスタスキャン位置である。num_tile_columns_minus1はタイルのピクチャ内のタイルの行数である。tileIdx % (num_tile_columns_minus1 + 1)は、タイルのCTU行位置を導出する。タイルのCTU行位置をインデックスとしてColWidth[]を参照することで対象タイルの対象タイルのCTU単位の幅を導出する。
【０１４２】
また、tileIdxは、タイル内グループ内のタイルアドレスiから、ピクチャ内のタイルインデックス(tileIdx)を求めるテーブルTgTileIdx[i]を使って導出してもよい。この場合、TileWidthInCtbsY = ColWidth[TgTileIdx[i]%(num_tile_columns_minus1+1)]]
タイルグループ内のタイルインデックスであるループ変数jを用いて表すと、CT情報符号化部1111又はCT情報復号部3021は、対象CTU coding_tree_unit()を符号化又は復号した後に、以下の式が成り立つ場合に、セグメント（ここではCTU行）の最後を示すビット列であるend_of_subset_one_bitを符号化又は復号してもよい。
【０１４３】
if(entropy_coding_sync_enabled_flag && ( (j+1) % ColWidth[ TgTileIdx[ i ] % (num_tile_columns_minus1 + 1) ] = = 0 ) ) {
end_of_subset_one_bit
CT情報符号化部1111又はCT情報復号部3021は、j==NumCtusInTile[tileIdx]-1の場合（タイルグループ内の最後のCTUの場合）、固定値のend_of_subset_one_bitを符号化又は復号する。
【０１４４】
さらに、CT情報符号化部1111又はCT情報復号部3021は、タイルグループの最後のセグメント以外（直後にトレイリングデータを符号化する場合以外）では、end_of_subset_one_bitの後にバイトアライメントのビット列を復号する。なお、j<NumCtusInTile[tileIdx]-1は、セグメント内の最後のCTU以外であり、i<num_tiles_in_tile_group_minus1は最後のセグメント以外であり、両者の和集合によって、タイルグループの最後のセグメント以外のCTUを判定できる。
【０１４５】
図25はタイルとウェーブフロントの排他構成におけるタイルグループデータの別のシンタックス構成を示す図である。タイルグループヘッダと、エントリポイントの構成は、図18(a)、(b)と同じである。図にはセグメントの最後で通知される固定値のセグメント終端ビットとしてWPPの終端を表すend_of_subset_one_bitの他に、タイルの終端を表すend_of_tile_one_bitが含まれる。図26は、CT情報復号部3021が図25のシンタックスを復号する動作を示すフローチャートである。
【０１４６】
タイルの識別子を設定する(S2602)。
【０１４７】
タイルグループ内のタイル毎（ループ変数i）にS2604〜S2624の処理を実施する。なお、WPPがオンの場合はタイルグループは１つのタイルからなり、タイルグループとタイルは等しい。上述したように、タイルグループが１つのタイルから構成される場合にWPPがオンになる構成であっても、WPPがオンの場合に１つのタイルとする構成でもよい。
【０１４８】
タイルグループの先頭CTUアドレスを設定する(S2604)。
【０１４９】
ctbAddrInTile = ctbAddrTs-FirstCtbAddrTs[tile_group_address]
タイル内のCTUに関するループ処理（ループ変数j）において、タイル内のCTUアドレスを設定し(S2606)、対象CTUを復号する(S2608)。
【０１５０】
WPPがオン、かつ、CTU行の最後のCTUか否かを、例えば下式で判定する(S2610)。
【０１５１】
entropy_coding_sync_enabled_flag && ((CtbAddrInTile+1)%TileWidthInCtbsY)==0
WPPがオン、かつ、CTU行の最後のCTUの場合、S2612に進む。そうでない場合、次のCTU復号処理に進む。既に説明したように、タイル内CTUアドレスを示すループ変数jを用いて、CtbAddrInTile=jと導出し、TileWidthInCtbsY = ColWidth[ TgTileIdx[ i ] % (num_tile_columns_minus1 + 1) ]と導出してもよい。また対象CTU coding_tree_unit()を符号化又は復号する前に、entropy_coding_sync_enabled_flag && ((CtbAddrInTile)%TileWidthInCtbsY)==0 && CtbAddrInTile!=0の判定でend_of_subset_one_bitを符号化又は復号してもよい。
【０１５２】
end_of_subset_one_bitを復号する(S2612)。end_of_subset_one_bitはCTU行の最後に挿入するビットである。
【０１５３】
タイルの最後のCTUか否かを、例えば下式で判定する(S2614)。
【０１５４】
j<NumCtusInTile[tileIdx]-1
タイルグループの最後のCTUである場合、次のCTU復号処理に進む。そうでない場合、バイトアライン用のビット列を復号する(S2616)。
【０１５５】
タイル内の全てのCTUの処理が終了するまで、S2606〜S2616の処理を繰り返す。
【０１５６】
WPPがオフか否かを判定する(S2618)。WPPがオフでない場合、処理を終了する。WPPがオフの場合、S2620に進む。
【０１５７】
end_of_tile_one_bitを復号する。end_of_tile_one_bitはタイルの最後に挿入するビットである(S2620)。
【０１５８】
タイルグループの最後のタイルか否かを判定する(S2622)。タイルグループの最後のタイルの場合、処理を終了する。そうでない場合、バイトアライメントのビット列を復号する(S2624)。
【０１５９】
以上の処理をタイルグループ内の全てのタイルの処理が終了するまで繰り返す。
【０１６０】
なお、CT情報符号化部1111では図26中の「復号」を「符号化」に置き換えた処理が実施される。
【０１６１】
図18で説明したように、(S2610)の判定と(S2612)の処理を以下のように導出しても良い。タイルグループ内のタイルインデックスであるループ変数jを用いて表すと、CT情報符号化部1111又はCT情報復号部3021は、対象CTUcoding_tree_unit()を符号化又は復号した後に、以下の式が成り立つ場合に、セグメント（ここではCTU行）の最後を示すビット列であるend_of_subset_one_bitを符号化又は復号してもよい。
【０１６２】
if(entropy_coding_sync_enabled_flag && ( (j+1) % ColWidth[ TgTileIdx[ i ] % (num_tile_columns_minus1 + 1) ] = = 0 ) ) {
end_of_subset_one_bit
上記の処理では、WPPを使う場合（entropy_coding_sync_enabled_flag==1の場合）には各CTU行の最後に、セグメント終端を示すビットとバイトアラインを挿入するが、タイルグループの最後に相当する最後のCTU行（j==NumCtusInTile[tileIdx]-1）ではバイトアラインを省略する。WPP時にはタイルグループがCTU行から構成されるため、タイルグループの最後＝最後のCTU行の最後である。WPPを使わない場合（entropy_coding_sync_enabled_flag==0の場合）には、タイルの最後にセグメント終端を示すビットとバイトアラインを挿入するが、タイルグループの最後（i==num_tiles_in_tile_group_minus1）では、バイトアラインを省略する。これは既に、図4(c)で説明したように、タイルグループデータの後にバイトアライン用のトレイリングデータ（rbsp_tile_group_trailing_bits）を含む構成において、トレイリングデータで挿入するバイトアラインと重複することを避けるためである。トレイリングデータでバイトアラインを行わない構成では、タイルグループの終端でも、タイルグループのデータの中でバイトアラインを挿入してもよい。
【０１６３】
図25、図26では、ウェーブフロントにおいてCTU行の最後に挿入するビット(end_of_subset_one_bit)と、タイルにおいてタイルの最後に挿入するビット(end_of_tile_one_bit)を区別することにより、ウェーブフロントとタイルを明確に区別することができる。
【０１６４】
以上のように、タイルグループ単位でタイルとCTU行のいずれか一方を使用することで、１つのタイルグループの中で並列処理機能をもつ複数の処理を排他的に実行することができるので、符号化効率がよい。また、タイルとCTU行に関しエントリポイントを共通に用いることができ、タイルグループ毎にエントリポイントがタイルの先頭アドレスとCTU行の先頭アドレスとのいずれを指しているのかが既知であるので、処理が簡単である。
【０１６５】
図19は、本実施形態の符号化および復号するタイルグループヘッダのシンタックス構成の別の例である。図に示すように、entropy_coding_sync_enabled_flagを先に符号化、復号し、entropy_coding_sync_enabled_flagが０、すなわちWPPがオフの場合に、num_tiles_in_tile_group_minus1を通知してもよい。この場合、ヘッダ符号化部1110及びヘッダ復号部3020はentropy_coding_sync_enabled_flagを符号化又は復号し、NumTilesInPicが１より大きく、かつ、entropy_coding_sync_enabled_flagが０の場合にnum_tiles_in_tile_group_minus1を符号化又は復号する。そうでない（NumTilesInPicが１以下、あるいは、entropy_coding_sync_enabled_flagが１）場合、ヘッダ符号化部1110及びヘッダ復号部3020はnum_tiles_in_tile_group_minus1に０をセットする。
【０１６６】
（変形例３）セグメントがタイルとスライスをとりうる場合の処理
変形例３ではタイルグループ内のセグメントとして、タイル、スライスのいずれか一方を排他的に使用する場合を説明する。
【０１６７】
図20は、タイルセグメントとスライスセグメントの排他構成を説明する図である。
【０１６８】
slice_enabled_flagは、スライスをセグメントとするか（スライスを使用するか）否かを示すフラグである。なお、スライス先頭でCABACを初期化する。図に示すように、num_tiles_in_tile_group_minus1が０より大きい場合に、つまりタイルグループ内のタイルが複数の場合にはslice_enabled_flagは０のみをとる。この場合、タイルのみが有効になる。num_tiles_in_tile_group_minus1が０の場合、つまりタイルグループ内のタイルが１つの場合には、slice_enabled_flagは１をとりうる。この場合、スライスのみが有効になる。最後にnum_tiles_in_tile_group_minus1が０、かつ、entropy_coding_sync_enabled_flagは０の場合、タイルグループ内のタイルは１個である。この場合は、WPPを有効としても良い。
【０１６９】
変形例３では、タイルグループ内のタイルの個数が１（タイルグループとタイルが同じ）の場合はセグメントとしてスライスを利用可能とし、そうでない（タイルグループが複数のタイルを含む）場合はセグメントにタイルを利用する。例えば、図5のようにピクチャを４つのタイルグループに分割した場合、各タイルグループは図8(a)に示すように複数のタイルに分割する場合と、図8(c)に示すように複数のスライスに分割する場合がある。また、１つのタイルに分割する場合があってもよい。つまり、タイルグループ内のタイルが１つの場合、かつ、CTU行やスライスで分割されない場合は、タイルグループは１つのタイルを含む。
【０１７０】
スライスでは、CTUの符号化データの最後に、セグメントの最後であるか否かを示すスライス終端フラグend_of_slice_segment_flagを通知することにより、CTU単位の任意の位置でセグメントを終了することができる。このようなCTU単位で大きさを可変にできるセグメントをスライスセグメントと呼ぶ。例えば指定したビット量以内でセグメントの区切りを設けたい場合にスライスが利用される。さらに、スライスの並列復号を目的として、スライスの先頭にマーカ（ユニークコード、start code）を挿入する構成としてもよい。マーカを用いることで、動画像復号装置は各スライスのビットストリーム上での先頭位置を検索し位置を同定することができる。なお、スライスの先頭にマーカを挿入する構成においては、スライスを挿入する度（つまり、end_of_slice_segment_flagが1である場合に）、タイルグループを終了する構成にしてもよい。この構成では、タイルグループに１つのスライスを含むため、タイルグループヘッダがスライスの先頭に常に付加されマーカの役割を果たす。
【０１７１】
マーカによってスライス先頭を符号化又は復号する場合、スライスの前にユニークなコード、例えば"0x00000100"（32bit）を挿入し、動画像復号装置はあらかじめ符号化データをスキャンすることによって、符号化データ中のスライス先頭を探索してもよい。
【０１７２】
タイル、スライスを並列処理するために、タイルの先頭アドレス（エントリポイント）はタイルグループヘッダで通知してもよい。図21(a)にタイルグループヘッダの一例を示す。図21ではslice_enabled_flagを通知する。slice_enabled_flagはスライス分割するか否かを示すフラグである。
【０１７３】
ヘッダ符号化部1110又はヘッダ復号部3020は、num_tiles_in_tile_group_minus1が０の場合、すなわちタイルグループ内にタイルが１つの場合、slice_enabled_flagを符号化又は復号する。そうでない場合、slice_enabled_flagを０（スライスオフ）にセットする。
【０１７４】
なお、num_slices_in_tile_minus1をタイルグループヘッダで通知しない構成であってもよい。
【０１７５】
タイル数num_tiles_in_tile_group_minus1、スライス有効フラグslice_enabled_flagの符号化、復号順は上記に限定されない。以下のように処理してもよい。
【０１７６】
（スライス、タイル）
スライス有効フラグslice_enabled_flag、タイル数num_tiles_in_tile_group_minus1、の順に通知する場合、以下の処理を行う。ヘッダ符号化部1110又はヘッダ復号部3020は、タイルグループヘッダでslice_enabled_flagを符号化又は復号する。slice_enabled_flagが０の場合にnum_tiles_in_tile_group_minus1を符号化又は復号する。num_tiles_in_tile_group_minus1、slice_enabled_flagを復号しない場合には各々０に設定する。
【０１７７】
ヘッダ符号化部1110及びヘッダ復号部3020は、NumEntryPointを導出する。NumEntryPointはエントリポイントの数であり、タイルを使用する場合はnum_tiles_in_tile_group_minus1をセットする。ヘッダ符号化部1110又はヘッダ復号部3020は、NumEntryPointが０より大きい場合にエントリポイントの情報（offset_len_minus1とNumEntryPoint個のentry_point_offset_minus1）を符号化又は復号する。
【０１７８】
CT情報復号部3021はスライスがオンの場合、１CTUの復号終了後にend_of_slice_segment_flagを復号する。end_of_slice_segment_flagはCTU行の最後に挿入するビットである。
【０１７９】
図21(c)は符号化タイルグループのタイルグループデータのシンタックスの一例である。図は１CTUの復号終了後にend_of_slice_segment_flagを符号化又は復号する構成を示す。end_of_slice_segment_flagはスライスの最後か否かを示すフラグであり、１であればスライスの最後、そうでなければスライスの最後ではない。
【０１８０】
以上のように、タイルグループ単位でタイルとスライスのいずれか一方を使用することで、１つのタイルグループの中で並列処理機能をもつ複数の処理を排他的に実行することができ、効率がよい。
【０１８１】
（変形例４）スライスでエントリポイントを用いる場合の処理
以下の例では、スライスの先頭アドレスをエントリポイントとして符号化又は復号することによりビットストリーム上でのスライスの先頭位置を指定する構成を示す。
【０１８２】
タイル、スライスを並列処理するために、タイルとスライスの先頭アドレス（エントリポイント）はタイルグループヘッダで通知する。図21(a)に示すタイルグループヘッダの一例において、slice_enabled_flagの後にnum_slices_in_tile_minus1を通知してもよい。num_slices_in_tile_minus1はタイル内のスライスの個数から１を引いた値である。
【０１８３】
また、エントリポイントのシンタックスを図21(b)に示す。図21(c)は、NumEntryPointの導出にslice_enabled_flagとnum_slices_in_tile_minus1を用いる構成を示す。
【０１８４】
ヘッダ復号部3020は、num_tiles_in_tile_group_minus1が０の場合、すなわちタイルグループ内にタイルが１つの場合、slice_enabled_flagとnum_slices_in_tile_minus1を復号する。そうでない場合、slice_enabled_flagを０（スライスオフ）にセットする。
【０１８５】
ヘッダ復号部3020は、NumEntryPointを導出する。NumEntryPointはエントリポイントの数であり、スライスを使用する場合はnum_slices_in_tile_minus1をセットし、タイルを使用する場合はnum_tiles_in_tile_group_minus1をセットする。ヘッダ復号部3020は、NumEntryPointが０より大きい場合にエントリポイントの情報（offset_len_minus1とNumEntryPoint個のentry_point_offset_minus1）を復号する。
【０１８６】
上記以外の処理は変形例２と同じである。
【０１８７】
次に、タイルグループデータについて説明する。
【０１８８】
図21(c)は符号化タイルグループのタイルグループデータのシンタックスの一例である。図21(c)は１CTUの復号終了後にend_of_slice_segment_flagを符号化又は復号する構成を示す。end_of_slice_segment_flagはスライスの最後か否かを示すフラグ（ビット）であり、１であればスライスの最後、そうでなければスライスの最後ではない。
【０１８９】
CT情報復号部3021はスライスがオンの場合、１CTUの復号終了後にend_of_slice_segment_flagを復号する。
【０１９０】
以上のように、タイルグループ単位でタイルとスライスのいずれか一方を使用することで、１つのタイルグループの中で並列処理機能をもつ複数の処理を排他的に実行することができ、効率がよい。また、タイルとスライスに関しエントリポイントを共通に用いることができ、タイルグループ毎にエントリポイントがタイルの先頭アドレスとスライスの先頭アドレスとのいずれを指しているのかが既知であるので、処理が簡単である。あるいはエントリポイントを使わずスライスの先頭を一意なマーカで通知してもよい。
【０１９１】
（変形例５）タイル、CTU行、スライスを用いたセグメント
変形例５では、タイル、CTU行、スライスを排他的に設定する例を説明する。図22は、タイルセグメントとCTU行セグメントとスライスセグメントの排他構成を説明する図である。図に示すように、変形例５では、タイルグループ内に、複数のタイルセグメントがある場合、CTU行セグメントがある場合、スライスセグメントがある場合、および、タイルグループ内に単一のセグメント（ここではタイルと呼ぶ）がある場合のいずれかをとる。
【０１９２】
より具体的にはタイルグループ内に複数のタイルが含まれる時はタイルを用い、タイルグループが１つのタイルからなる時はCTU行あるいはスライスを用いる構成でもよい。タイルグループが１つのタイルからなり、CTU行もスライスも用いられない場合、タイルグループは１つのタイルとして設定する。
【０１９３】
（タイル数、WPP有効フラグ、スライス有効フラグの順に通知する構成）
図23(a)はタイルグループヘッダの一例である。図では、タイルの個数が１の場合にentropy_coding_sync_enabled_flagを通知し、entropy_coding_sync_enabled_flagが０（WPPオフ）の場合はslice_enabled_flagを通知する。
【０１９４】
ヘッダ符号化部1110又はヘッダ復号部3020は、num_tiles_in_tile_group_minus1が０の場合にentropy_coding_sync_enabled_flagを符号化又は復号する。次にentropy_coding_sync_enabled_flagが０の場合にslice_enabled_flagを符号化又は復号する。num_tiles_in_tile_group_minus1が０でない場合はentropy_coding_sync_enabled_flagとslice_enabled_flagを０に設定する。num_tiles_in_tile_group_minus1が０、かつ、entropy_coding_sync_enabled_flagが０以外の場合、slice_enabled_flagを０に設定する。
【０１９５】
これら以外の処理はセグメントがタイルのみの例と同じである。
【０１９６】
図23(b)は符号化タイルグループのタイルグループデータのシンタックスの一例である。図に示すように本実施形態では、セグメントがタイルの場合、及び、CTU行（ウェーブフロント）の場合には、セグメントの最後に必ず１であるend_of_subset_one_bitを符号化又は復号し、セグメントがスライスの場合には、CTUがセグメントの終端であるか否かを示す０と１をとりうるend_of_slice_segment_flagを符号化又は復号する。end_of_subset_one_bitを符号化又はは復号する方法は図18(c)で既に説明したとおりであるので説明を省略する。また、end_of_slice_segment_flagを符号化又は復号する方法は、図21(c)で既に説明したとおりであるので説明を省略する。
【０１９７】
以上のように、タイルグループ単位でタイル、CTU行、スライスを排他的に使用することでセグメントの符号化、復号処理を簡略化することができる。またセグメントの開始点および終端が明確になる効果を奏する。例えば、スライス先頭かつタイルの先頭かつCTU行の先頭でもある、というような混在がなくなる。
【０１９８】
タイル数num_tiles_in_tile_group_minus1、WPP有効フラグentropy_coding_sync_enabled_flag、スライス有効フラグslice_enabled_flagの符号化、復号順は上記に限定されない。以下のように処理してもよい。
【０１９９】
（タイル、スライス、WPP）
num_tiles_in_tile_group_minus1、slice_enabled_flag、entropy_coding_sync_enabled_flagの順に通知する場合、以下の処理を行う。ヘッダ符号化部1110又はヘッダ復号部3020は、num_tiles_in_tile_group_minus1を符号化又は復号する。num_tiles_in_tile_group_minus1が０の場合にslice_enabled_flagを符号化又は復号する。次にslice_enabled_flagが０の場合にentropy_coding_sync_enabled_flagを符号化又は復号する。num_tiles_in_tile_group_minus1、entropy_coding_sync_enabled_flag、slice_enabled_flagを復号しない場合には各々０に設定する。
【０２００】
（WPP、タイル、スライス）
entropy_coding_sync_enabled_flag、num_tiles_in_tile_group_minus1、slice_enabled_flagの順に通知する場合、以下の処理を行う。ヘッダ符号化部1110又はヘッダ復号部3020は、タイルグループヘッダでentropy_coding_sync_enabled_flagを符号化又は復号する。entropy_coding_sync_enabled_flagが０の場合にnum_tiles_in_tile_group_minus1を符号化又は復号する。次にnum_tiles_in_tile_group_minus1が０の場合にslice_enabled_flagを符号化又は復号する。num_tiles_in_tile_group_minus1、entropy_coding_sync_enabled_flag、slice_enabled_flagを復号しない場合には各々０に設定する。
【０２０１】
（WPP、スライス、タイル）
entropy_coding_sync_enabled_flag、slice_enabled_flag、num_tiles_in_tile_group_minus1の順に通知する場合、以下の処理を行う。ヘッダ符号化部1110又はヘッダ復号部3020は、タイルグループヘッダでentropy_coding_sync_enabled_flagを符号化又は復号する。entropy_coding_sync_enabled_flagが０の場合にslice_enabled_flagを符号化又は復号する。次にslice_enabled_flagが０の場合にnum_tiles_in_tile_group_minus1を符号化又は復号する。num_tiles_in_tile_group_minus1、entropy_coding_sync_enabled_flag、slice_enabled_flagを復号しない場合には各々０に設定する。
【０２０２】
（スライス、タイル、WPP）
slice_enabled_flag、num_tiles_in_tile_group_minus1、entropy_coding_sync_enabled_flagの順に通知する場合、以下の処理を行う。ヘッダ符号化部1110又はヘッダ復号部3020は、タイルグループヘッダでslice_enabled_flagを符号化又は復号する。slice_enabled_flagが０の場合にnum_tiles_in_tile_group_minus1を符号化又は復号する。次にnum_tiles_in_tile_group_minus1が０の場合にentropy_coding_sync_enabled_flagを符号化又は復号する。num_tiles_in_tile_group_minus1、entropy_coding_sync_enabled_flag、slice_enabled_flagを復号しない場合には各々０に設定する。
【０２０３】
（スライス、WPP、タイル）
slice_enabled_flag、entropy_coding_sync_enabled_flag、num_tiles_in_tile_group_minus1の順に通知する場合、以下の処理を行う。ヘッダ符号化部1110又はヘッダ復号部3020は、タイルグループヘッダでslice_enabled_flagを符号化又は復号する。slice_enabled_flagが０の場合にentropy_coding_sync_enabled_flagを符号化又は復号する。次にentropy_coding_sync_enabled_flagが０の場合にnum_tiles_in_tile_group_minus1を符号化又は復号する。num_tiles_in_tile_group_minus1、entropy_coding_sync_enabled_flag、slice_enabled_flagを復号しない場合には各々０に設定する。
【０２０４】
エントロピー復号部301は、インター予測パラメータをインター予測パラメータ復号部303に出力する。また、イントラ予測パラメータをイントラ予測パラメータ復号部304に出力する。また、量子化変換係数を逆量子化・逆変換部311に出力する。
【０２０５】
エントロピー復号部301は、CABAC初期化部3011、CABAC復号部3012、初期化テーブル3013、空間予測格納部3015（空間予測テーブル3016を含む）を備える。空間予測格納部3015は、内部の空間予測テーブル3016にCABAC状態を格納する。格納されたCABAC状態は、対象ピクチャの後続のセグメントなど、対象セグメント以外のセグメントの復号時に参照されCABAC状態の初期化に利用される。CABAC復号部3012は、格納されたCABAC状態に応じて、符号化データ（ビットストリーム）からシンタックスを復号する。
【０２０６】
エントロピー復号部301は、セグメント先頭でCABAC初期化部3011を用いてCABAC状態を初期化する。CABAC状態とは、例えば、コンテキスト単位の確率の状態を示すStateIdx、０と１のどちらが高確率かを示すMpsVal、係数StatCoeffなどである。コンテキストはシンタックスを構成するバイナリ列（０と１からなる列）の要素ごとに定められている。CABAC(Context-adaptive binary arithmetic coding)とは、コンテキストごとに０か１に符号化される確率を推定し、その確率に基づいてバイナリを符号化する。このとき、確率StateIdxの初期値、及び、MpsValを設定する必要があり、これをCABAC初期化と呼ぶ。TableStateIdx、TableMpsVal、TableStatCoeffは、StateIdx、MpsVal、StatCoeffから構成されるテーブルである。
【０２０７】
上記CABAC初期化部3011は、セグメントがタイルの場合には、タイルの左上CTUで、初期化テーブルを用いてCABAC状態の初期化を行う。セグメントがCTU行の場合（entropy_coding_sync_enabled_flagが１、WPPの場合）には、CTU行の左端で、空間予測格納部3015に格納されたCABAC状態を用いて初期化する。WPPの場合には、各CTU行の2つ目のCTUのCABAC状態を空間予測格納部3015に格納し、後続のセグメントで利用する。セグメントがスライスの場合（slice_enabled_flagが１）には、初期化テーブルを用いてCABAC状態の初期化を行ってもよい。ここでタイル境界の判定は、隣接するCTUのタイルの識別子が異なるかどうか（TileId[CtbAddrTs]!=TileId[CtbAddrTs-1]）を用いてもよい。ここで、CTU行の左端の判定は、（CtbAddrInTile%TileWidthInCtbsY==0）でもよい。また、スライス先頭の判定は、CTUアドレスCtbAddrRsが、スライス先頭のCTUアドレスと一致するか(CtbAddrRs==slice_segment_address)でもよい。
【０２０８】
（タイルグループ中の各々のタイルのCTU行の先頭で初期化する構成）
ここでは、タイルグループ中の個々のタイル内でCTUをラスタスキャンし、タイル中のCTU行の先頭（左端）でCABAC初期化を行う例を説明する。
【０２０９】
本実施形態に係るエントロピー復号部３０１は、CTUシンタックスのパースの終了時に、WPP有効フラグが１の場合、かつ、タイルグループ中の各々のタイルのCTU行の先頭から１CTUの位置（ctbAddrInTile % TileWidthInCtbsY == 1）において、CABAC状態（例えば、状態TableStateIdx0Wpp, 状態TableStateIdx1Wppと、MPSの値TableMpsValWpp）をストレージに保存する。TableStateIdx0Wpp、TableStateIdx1Wppは対象CTUの１つ上のCTU行の先頭のCTUとその次のCTUの状態である。
【０２１０】
ただしタイル内CTUアドレスは、以下で導出しても良い。
【０２１１】
ctbAddrInTile = ctbAddrTs-FirstCtbAddrTs[tile_group_address]
また、タイル内CTUをj=0からタイル内CTU数-1までインクリメントしてCTUをループ処理する場合に、ループ変数jをctbAddrInTileとして利用しても良い。
【０２１２】
なお、本実施形態に係るエントロピー復号部３０１は、CTUシンタックスのパースの終了時に、WPP有効フラグが１の場合、かつ、画面内のCTU行の先頭から１CTUの位置（CtbAddrInRs % PicWidthInCtbsY==1）もしくは現在位置のタイルID(TileId[CtbAddrInTs])とラスタ順で２つ前の位置のタイルID（TileId[CtbAddrRsToTs[CtbAddrInRs-2]]）が異なる場合、CABAC状態（例えば、状態TableStateIdx0Wpp, 状態TableStateIdx1Wppと、MPSの値TableMpsValWpp）をストレージに保存してもよい。
【０２１３】
なお、より低遅延を実現するために、タイルのCTU行の先頭位置（ctbAddrInTile % TileWidthInCtbsY == 0）の場合に、CABAC状態を保存してもよい。
【０２１４】
たとえば、本実施形態に係るエントロピー復号部３０１は、CTUシンタックスのパースの終了時に、WPP有効フラグが１、かつ、画面内のCTU行の先頭位置（CtbAddrInRs % PicWidthInCtbsY==1）もしくは現在位置のタイルID(TileId[ CtbAddrInTs ])とラスタ順で１つ前の位置のタイルID（TileId[ CtbAddrRsToTs[CtbAddrInRs-1]]）が異なる場合、CABAC状態（例えば、状態TableStateIdx0Wpp, 状態TableStateIdx1Wppと、MPSの値TableMpsValWpp）をストレージに保存してもよい。
【０２１５】
また、本実施形態に係るエントロピー復号部３０１は、WPP有効フラグが１の場合、タイルグループ中の各々のタイルのCTU行の先頭CTU（CtbAddrInRs % PicWidthInCtbsY == 0）において、ストレージに保持したCABAC状態を用いて、初期化を行ってもよい。
【０２１６】
また、本実施形態に係るエントロピー復号部３０１は、WPP有効フラグが１の場合、次のCTUラインにおける先頭CTU（CtbAddrInRs % PicWidthInCtbsY == 0）もしくは現在位置のタイルID(TileId[ CtbAddrInTs])とラスタ順で１つ前の位置のタイルID（TileId[ CtbAddrRsToTs[CtbAddrInRs-1]]）が異なる場合、ストレージに保持したCABAC状態を用いて、初期化を行ってもよい。
【０２１７】
（各々のタイルグループ中のCTU行の先頭で初期化する構成）
ここでは、タイルグループ中のCTUをラスタスキャンし、タイルグループ中のCTU行の先頭（左端）でCABAC初期化を行う例を説明する。
【０２１８】
本実施形態に係るエントロピー復号部３０１は、CTUシンタックスのパースの終了時に、WPP有効フラグが１の場合、かつ、タイルグループ中の各々のタイルのCTU行の先頭から１CTUの位置（ctbAddrInTileGroup % TileGroupWidthInCtbsY== 1）において、CABAC状態（例えば、状態TableStateIdx0Wpp, 状態TableStateIdx1Wppと、MPSの値TableMpsValWpp）をストレージに保存する。
【０２１９】
ただしタイルグループ内CTUアドレスは、以下で導出しても良い
ctbAddrInTileGroup = ctbAddrTs-FirstCtbAddrTs[tile_group_address]
また、タイル内CTUをj=0からタイルグループ内CTU数-1までインクリメントしてCTUをループ処理する場合に、ループ変数jをctbAddrInTileGroupとして利用しても良い。
【０２２０】
なお、より低遅延を実現するために、タイルのCTU行の先頭位置（ctbAddrInTileGroup % TileGroupWidthInCtbsY == 0）の場合に、CABAC状態を保存してもよい。
【０２２１】
たとえば、本実施形態に係るエントロピー復号部３０１は、CTUシンタックスのパースの終了時に、WPP有効フラグが１、かつ、タイルグループ内のCTU行の先頭位置（ctbAddrInTileGroup % TileGroupWidthInCtbsY == 0）の場合に、CABAC状態（例えば、状態TableStateIdx0Wpp, 状態TableStateIdx1Wppと、MPSの値TableMpsValWpp）をストレージに保存してもよい。
【０２２２】
また、本実施形態に係るエントロピー復号部３０１は、WPP有効フラグが１の場合、タイルグループ中のCTU行の先頭CTU（ctbAddrInTileGroup % TileGroupWidthInCtbsY == 0）において、ストレージに保持したCABAC状態を用いて、初期化を行ってもよい。
【０２２３】
ループフィルタ305は、符号化ループ内に設けたフィルタで、ブロック歪やリンギング歪を除去し、画質を改善するフィルタである。ループフィルタ305は、加算部312が生成したCUの復号画像に対し、デブロッキングフィルタ、サンプル適応オフセット（SAO）、適応ループフィルタ（ALF）等のフィルタを施す。
【０２２４】
（矩形タイルグループ）
図27は、矩形タイルグループを含むタイルグループを説明する図である。タイルグループは、ピクチャを複数のタイルに分割した後に、複数のタイルをグループ化して伝送する技術である。タイルをグループ化して伝送し、グループを単位としてヘッダを伝送することにより、ヘッダのオーバーヘッドを減らすことができる。また、タイルグループ単位で抽出した場合においても、タイルグループ内でタイルに分割できるため、並列処理が可能である。タイルグループには、矩形タイルグループの場合と、矩形タイルグループではない場合があり、後述のシンタックス要素rect_tile_group_flagを用いて1,0で識別する。
【０２２５】
矩形タイルグループとは、パラメータセットの定義によってタイルをグループ化するものであり、ラスタスキャン順に必ずしも連続しないタイル領域を設定可能である。また、タイルグループヘッダを書き換えることなく、特定のタイルやタイルグループを抽出することができる特徴を有する。また、矩形タイルグループ以外（連続タイル）とは、タイルグループヘッダの定義によってタイルをグループするものであり、ラスタスキャン順に連続するタイルに限定される。
【０２２６】
図27(a)は、矩形タイルグループではない場合（rect_tile_group_flag==0）のタイルグループを示す図である。矩形タイルグループではない場合、タイルグループとしてグループ化するタイルの個数を示すシンタックス要素num_tiles_in_tile_group_minus1を伝送する。num_tiles_in_tile_group_minus1+1個のタイルをグループ化する。図27(a)では、３×２のタイルがある場合、最初の連続する３個のタイルをTileGroup0、次の連続する２個のタイルをTileGroup1、次の１個のタイルをTileGroup2となる例を示す。
【０２２７】
図27(b)は、矩形タイルグループである場合（rect_tile_group_flag==1）のタイルグループを示す図である。矩形タイルグループの場合、矩形領域の左上に位置するタイルを示すシンタックス要素top_left_tile_idxと、右下に位置するタイルを示すシンタックス要素bottom_right_tile_idxを伝送し、２つの要素で表現されるタイルをグループ化する。
図27(b)では、３×２のタイルがある場合、左側の２×２のタイルをTileGroup0、１×１のタイルをTileGroup2、１×１のタイルをTileGroup2となる例を示す。
【０２２８】
図28は、本実施形態の一形態のタイルグループのパラメータセットのシンタックス構成を示す図である。
【０２２９】
single_tile_in_pic_flagは、ピクチャ内にタイルが１つか否かを示す。single_tile_in_pic_flag==1の場合、ピクチャ全体を１つのタイルとして処理し、それ以上のシンタックス要素を伝送しない。
【０２３０】
num_tile_columns_minus1、num_tile_rows_minus1は、single_tile_in_pic_flag==0の場合に伝送されるシンタックス要素であり、ピクチャのタイルの列の数と行の数を示す。
【０２３１】
uniform_tile_spacing_flagは、タイルの列数と行数から各タイルのサイズを暗黙的に導出するか否かを示すシンタックス要素である。uniform_tile_spacing_flag==1の場合には、暗黙的にタイルサイズを導出する。
【０２３２】
tile_column_width_minus1、tile_row_height_minus1は、uniform_tile_spacing_flag==0のときに伝送され、明示的にタイルサイズの横と縦を示すシンタックス要素である。
【０２３３】
single_tile_per_tile_group_flagは、タイルグループごとに１つのタイルを用いるか否かを示すシンタックス要素である。符号化データにsingle_tile_per_tile_group_flagが現れない場合（例えば、single_tile_in_pic_flag＝１）の場合に、single_tile_per_tile_group_flagを１と導出してもよい（infer規則１）。
【０２３４】
rect_tile_group_flagは、タイルグループとして矩形タイルグループを用いるか否かを示すシンタックス要素である。rect_tile_group_flag=1である場合には、矩形タイルグループを用いることを示す。この場合にはピクチャパラメータセットにおいて、タイルグループに関する情報（num_tile_groups_in_pic_minus1、top_left_tile_idx、bottom_right_tile_idx）を伝送する。single_tile_per_tile_group_flagが１の場合、すなわち１つのタイルグループで１つのタイルを用いる場合には、rect_tile_group_flagは符号化データから復号されず、rect_tile_group_flagは１と導出する（infer規則２）。
【０２３５】
num_tile_groups_in_pic_minus1は、ピクチャ中のタイルグループ数を示すシンタックス要素である。タイルグループごとに、top_left_tile_idxとbottom_right_tile_idxを伝送することで、タイルグループに含まれるタイルを指定する。PPSにおいて、タイルグループ内のタイル数が１と指定されている場合（single_tile_per_tile_group_flagが１）の場合には、num_tile_groups_in_pic_minus1を復号しない。num_tile_groups_in_pic_minus1を復号しない場合（現れない場合）には、num_tile_groups_in_pic_minus1を0と設定する。
【０２３６】
top_left_tile_idxは、タイルグループの左上タイルのインデックスを示すシンタックス要素である。bottom_right_tile_idxは、タイルグループの右下タイルのインデックスを示すシンタックス要素である。
【０２３７】
タイルグループの符号化データは、ヘッダ情報tile_group_header()とデータ情報tile_group_data()から構成される。図29に示すtile_group_header()は、タイルグループ中のタイルに共通する情報が伝送される。タイルに関しては、シンタックス要素tile_group_address、num_tiles_in_tile_group_minus1を含んでもよい。ここでtile_group_addressは、矩形タイルグループでない場合に含まれ、タイルグループの先頭のタイルインデックスを示す。num_tiles_in_tile_group_minus1は、矩形タイルグループでない場合に含まれ、タイルグループに含まれるタイル数を示す。矩形タイルグループでない場合には、num_tiles_in_tile_group_minus1+1個の連続するタイルからタイルグループが構成される。
【０２３８】
また、タイルグループに共通するシンタックス要素として、tile_group_typeを含んでも良い。tile_group_typeは、従来の符号化シンタックスのslice_typeに対応し、タイルグループがイントラ予測だけからなる符号化データか、インター予測からなる符号化データかを識別する。インター予測からなる符号化データにおいても、１枚の参照ピクチャから予測画像を生成するＰピクチャと、２枚以上の参照ピクチャから予測画像を生成するＢピクチャを識別してもよい。
【０２３９】
（タイルグループとWPP有効フラグ）
タイルグループ中のタイルとWPP(CTU行)はいずれもタイルグループをセグメントに分割してセグメント単位で並列処理を行う。セグメント間のイントラ予測は、タイルでは基本的には禁止され、CTU行では基本的には許可される。タイルグループの先頭を除き、セグメント先頭では、ビットストリームのバイト位置を示すためのエントリポイントが伝送される。
【０２４０】
構成として、以下があげられる。
・WPP有効フラグentropy_coding_sync_enabled_flagを通知するシンタックス
・WPP有効フラグの値制限もしくは復号制限
・タイルグループ内のCTUスキャン順（タイルベースCTUスキャン順（タイルスキャン） or タイルグループベースCTUスキャン順）
以下、WPP有効フラグentropy_coding_sync_enabled_flagをタイルグループで通知する構成を説明し、その後、entropy_coding_sync_enabled_flagをピクチャパラメータセットで通知する構成を説明する。WPP有効フラグの値制限もしくは復号制限及びCTUスキャン順については各々の構成のサブ構成として説明する。
【０２４１】
＜タイルグループでWPP有効フラグを伝送する構成＞
図30は、本実施形態の一形態のタイルグループとウェーブフロントプロセッシング（CTU行セグメント）の関係を示す図である。ここでは、CTUのスキャン順は、タイルスキャン順であり、タイル単位でCTUのラスタスキャンを行う。この図では、ピクチャ中に４×３のタイルがある場合において、左側の２×３のタイルをTileGroup0、右上の２×１のタイルをTileGroup1、１×１のタイルをTileGroup2、１×１のタイルをTileGroup3、１×２のタイルをTileGroup4として構成する例を示す。１×１のタイルから構成されるTileGroup2は、ウェーブフロントプロセッシング(WPP)がオンのタイルグループである。つまり、TileGroup2は、タイル（タイルグループ）中をさらにCTU行からなるセグメントに分割して符号化される。なお、ピクチャ内のタイルインデックスはラスタスキャン順に付与される。
【０２４２】
図31は、本実施形態の一形態のタイルグループとウェーブフロントプロセッシングのヘッダのシンタックス構成を示す図である。図29で説明したシンタックス要素と同じ部分は説明を省略する。本実施形態では、タイルグループ中のタイル数が１個の場合に、entropy_coding_sync_enabled_flagを符号化データに含めて伝送する。
【０２４３】
ヘッダ符号化部1110又はヘッダ復号部3020は、パラメータセットもしくはタイルグループヘッダでタイルグループに含まれるタイルの情報を符号化又は復号する。具体的には、ヘッダ符号化部1110又はヘッダ復号部3020は、rect_tile_group_flag=1の場合には、top_left_tile_idxとbottom_right_tile_idxを符号化又は復号し、rect_tile_group_flag=0の場合には、tile_group_address、num_tiles_in_tile_group_minus1を復号する。
【０２４４】
ヘッダ符号化部1110及びヘッダ復号部3020は、rect_tile_group_flag=1の場合には、top_left_tile_idxとbottom_right_tile_idxから、以下の擬似コードによって、タイルグループに含まれるタイルの数NumTilesInTileGroupを導出する。つまり、左上のタイルインデックスと右下のタイルインデックスの差deltaTileIdxを、ピクチャ内のタイルの行数（num_tile_columns_minus1 + 1）で割ることによって、タイルグループのタイルの行数（垂直方向のタイルの数）NumTileRowsInTileGroupMinus1と、タイルの列数（水平のタイルの数）NumTileColumnsInTileGroupMinus1を導出する。水平方向のタイル数と垂直方向のタイル数の積からNumTilesInTileGroupを導出する。具体的には、左上のタイルインデックスtop_left_tile_idx[i]と右下のタイルインデックスbottom_right_tile_idx[i]の差分deltaTileIdx[i]を導出する。Iはタイルグループの識別子である。
deltaTileIdx[i] = bottom_right_tile_idx[i]-top_left_tile_idx[i]
続いて、差分deltaTileIdx[i]と、ピクチャ中の水平方向のタイル数(num_tile_columns_minus1+1)から、タイルグループの水平方向のタイル数と垂直方向のタイル数を導出する。ここでは、タイル数から１を引いた値を導出する。
NumTileRowsInTileGroupMinus1[i] = (deltaTileIdx[i]/(num_tile_columns_minus1+1))
NumTileColumnsInTileGroupMinus1[i] = (deltaTileIdx[i]%(num_tile_columns_minus1+1))
最後に、タイルグループのタイル幅と高さの積から、タイルグループ中のタイル数NumTilesInTileGroup[i]を導出する。
NumTilesInTileGroup[i] = (NumTileRowsInTileGroupMinus1[i]+1)*
(NumTileColumnsInTileGroupMinus1[i]+1)
例えば図30の例では、ピクチャは４×３タイルであるからnum_tile_columns_minus1+1=4である。各タイルグループi = 0..4の左上のタイルインデックスtop_left_tile_idx[i]と右下のタイルインデックスbottom_right_tile_idx[i]は以下となる。
top_left_tile_idx[0] = 0、bottom_right_tile_idx[0] = 9
top_left_tile_idx[1] = 2、bottom_right_tile_idx[1] = 3
top_left_tile_idx[2] = 6、bottom_right_tile_idx[2] = 6
top_left_tile_idx[3] = 7、bottom_right_tile_idx[3] = 11
top_left_tile_idx[4] = 10、bottom_right_tile_idx[4] = 10
よって、TileGroup0は、
NumTileRowsInTileGroupMinus1[0] = deltaTileIdx[0]
= bottom_right_tile_idx[0]-top_left_tile_idx[0]/(num_tile_columns_minus1+1)
= (9-0)/4 = 2
NumTileColumnsInTileGroupMinus1[0] = (9-0)%4 = 1
NumTilesInTileGroup[0] = (1+1)*(2+1) =6
TileGroup1は、
NumTileRowsInTileGroupMinus1[1] = (3-2)/4 = 0
NumTileColumnsInTileGroupMinus1[1] = (3-2)%4 = 1
NumTilesInTileGroup[1] = (0+1)*(1+1) = 2
と導出される。
TileGroup2は、
NumTileRowsInTileGroupMinus1[2] = (6-6)/4 = 0
NumTileColumnsInTileGroupMinus1[2] = (6-6)%4 = 0
NumTilesInTileGroup[2] = (0+1)*(0+1) = 1
と導出される。
TileGroup3は、
NumTileRowsInTileGroupMinus1[3] = (11-7)/4 = 1
NumTileColumnsInTileGroupMinus1[3] = (11-7)%4 = 0
NumTilesInTileGroup[2] = (1+1)*(0+1) = 2
と導出される。
TileGroup4は、
NumTileRowsInTileGroupMinus1[4] = (10-10)/4 = 0
NumTileColumnsInTileGroupMinus1[4] = (10-10)%4 = 0
NumTilesInTileGroup[4] = (0+1)*(0+1) = 1
と導出される。
【０２４５】
さらに、ヘッダ符号化部1110及びヘッダ復号部3020は、以下のようにタイルグループ内のタイルのインデックスTgTileIdx[tIdx]を導出しても良い。ここでTgTileIdx[tIdx]は、タイルグループ内のタイルのインデックスtIdxから、ピクチャ内のタイルのインデックスtileIdxを導出するテーブルである。
【０２４６】
tileGroupIdx = 0
while( tile_group_address != rect_tile_group_id[ tileGroupIdx ] )
tileGroupIdx++
NumTilesInCurrTileGroup = NumTilesInTileGroup[tileGroupIdx]
tileIdx = top_left_tile_idx[tileGroupIdx]
for(j=0, tIdx=0; j<(NumTileRowsInTileGroupMinus1[tileGroupIdx]+1); j++, tileIdx+=num_tile_columns_minus1+1) {
for(i=0, currTileIdx=tileIdx; i<(NumTileColumnsInTileGroupMinus1[tileGroupIdx]+1); i++, currTileIdx++, tIdx++) {
TgTileIdx[tIdx] = currTileIdx
}
}
ヘッダ符号化部1110及びヘッダ復号部3020は、rect_tile_group_flag==0の場合には、num_tiles_in_tile_group_minus1から、以下の擬似コードによって、タイルグループに含まれるタイルの数NumTilesInTileGroupとタイルグループ内のタイルのインデックスTgTileIdx[tIdx]を導出する。
【０２４７】
NumTilesInTileGroup = num_tiles_in_tile_group_minus1+1
TgTileIdx[0] = tile_group_address
for(i=1; i<NumTilesInTileGroup; i++)
TgTileIdx[i] = TgTileIdx[i-1]+1
さらに、ヘッダ符号化部1110及びヘッダ復号部3020は、以下の式によって、タイルグループヘッダを符号化、復号する時点で以下の式によって、対象タイルグループに含まれるタイルの数を導出してもよい。
【０２４８】
NumTilesInCurrTileGroup = rect_tile_group_flag ? NumTilesInTileGroup[tileGroupIdx] : (num_tiles_in_tile_group_minus1+1)
ヘッダ符号化部1110又はヘッダ復号部3020は、タイルグループに含まれるタイル数NumTilesInCurrTileGroupが1の場合に、entropy_coding_sync_enabled_flagを符号化又は復号する。
【０２４９】
図30に示すように、ピクチャ内では、各タイルグループの順にスキャンを行う。タイルグループ内ではラスタ順に各タイルをスキャンする、また、各タイル内ではラスタ順にCTB(CTU)をスキャンする（タイルスキャン）。上記のタイルスキャン順の導出方法は、既に（ピクチャ内のCTUスキャン順の導出方法１）で説明したとおりである。WPPオフ(entropy_coding_sync_enabled_flag==0)のタイルグループ(TileGroup0, TileGroup1, TileGroup3, TileGroup4)では、セグメントはタイル単位であり、WPPオン(entropy_coding_sync_enabled_flag==1)のタイルグループ(TileGroup2)では、セグメントはタイル内のCTU行単位である。タイルグループの先頭セグメント以外では、エントリポイントを符号化又は復号する。すなわち、WPPがオフの場合のタイルグループではタイル数-1個のエントリポイント、WPPがオンの場合には、タイル内のCTU行の数-1個のエントリポイントをもつ。エントリポイントは図30中に示す位置で通知する。
【０２５０】
ヘッダ符号化部1110又はヘッダ復号部3020は、WPPがオンの場合（entropy_coding_sync_enabled_flag==1）、NumEntryPoint（=タイルグループに含まれるCTU行の数TileGroupHeightInCtbsY-1）個のエントリポイントを符号化又は復号する。また、WPPがオフの場合（entropy_coding_sync_enabled_flag==0）、NumEntryPoint（=タイルグループ中のタイルの数NumTilesInCurrTileGroup-1）個のエントリポイントを符号化又は復号する。エントリポイントの数は以下の式で導出してもよい。
【０２５１】
ここで、対象タイルグループに含まれるタイル数が1の場合には、対象タイルグループに含まれるCTU行の数TileGroupHeightInCtbsY（CTU単位の対象タイルの高さTileHeightInCtbsY）は以下の式で導出してもよい。
【０２５２】
ctbAddrInTs = FirstCtbAddrTs[tileIdx]
CtbAddrInRs = CtbAddrTsToRs[ctbAddrInTs]
tbX = CtbAddrInRs % PicWidthInCtbsY
tbY = CtbAddrInRs / PicWidthInCtbsY
for(j=0; j<=num_tile_rows_minus1; j++)
if(tbY>=RowBd[j])
tileY = j
TileGroupHeightInCtbsY = RowHeight[tileY]
TileGroupHeightInCtbsYはタイルグループの高さを示すCTU数、TileHeightInCtbsYはタイルの高さを示すCTU数ともよぶ。
【０２５３】
また、タイルグループ中のタイル数が１つではない場合を考慮して、タイルグループ中の各タイルの高さRowHeightを加算して、タイルグループの高さを示すCTU数TileGroupHeightInCtbsYを以下のように導出してもよい。例えば、タイルグループの高さのタイルの数（NumTileRowsInTileGroupMinus1[tileGroupIdx]+1）だけ、各タイルの高さRowHeightを加算する。
【０２５４】
tbX = CtbAddrInRs % PicWidthInCtbsY
tbY = CtbAddrInRs / PicWidthInCtbsY
for(j=0; j<=num_tile_rows_minus1; j++)
if(tbY>=RowBd[j])
tileY = j
TileHeightInCtbsY = RowHeight[tileY]
TileGroupHeightInCtbsY = 0
for(j=0; j<(NumTileRowsInTileGroupMinus1[tileGroupIdx]+1; j=j+1)
TileGroupHeightInCtbsY += RowHeight[tileY+j]
ここでtileYは、対象タイルグループの左上タイルのピクチャ中（もしくはサブピクチャ中）の位置を示す値であり、上述した方法で導出してもよい。なお、tileYはタイル単位の値である。
【０２５５】
（TileGroupWidthInCtbsYの導出）
タイルグループの幅を示すCTU数TileGroupWidthInCtbsYを以下のように導出してもよい。例えば、タイルグループの幅のタイルの数（NumTileColsInTileGroupMinus1[tileGroupIdx]+1）だけ、各タイルの高さColWidthを加算する。
【０２５６】
tbX = CtbAddrInRs % PicWidthInCtbsY
tbY = CtbAddrInRs / PicWidthInCtbsY
for(i=0; i<=num_tile_columns_minus1; i++)
if(tbX>=ColBd[i])
tileX = i
TileWidthInCtbsY = ColWidth [tileX]
TileGroupWidthInCtbsY = 0
for(j=0; j<(NumTileColsInTileGroupMinus1[tileGroupIdx]+1; j=j+1)
TileGroupWidthInCtbsY += ColWidth[tileX+j]
ここでtileXは、対象タイルグループの左上タイルのタイル単位のピクチャ中（もしくはサブピクチャ中）の位置を示す値であり、上述した方法で導出してもよい。
【０２５７】
以上によって構成によって、１つのタイルグループ（セグメントグループ内）で、タイルとウェーブフロントのエントリポイントを共通化できるという効果を奏する。
【０２５８】
また、あるタイルグループではタイル（複数タイル）を有効にし、別のタイルグループではウェーブフロントを有効にすることができる効果を奏する。
【０２５９】
（矩形タイルグループもしくはタイル数が１の場合においてWPPを利用可能とする構成）
図32は、本実施形態の一形態のタイルグループとウェーブフロントプロセッシング（CTU行セグメント）の関係を示す図である。図30の例では、タイルグループ中のタイルの数が１個の場合に限定してWPPを利用可能としていたが、本例では、矩形タイルグループもしくはタイルグループ中のタイルの数が１個の場合に、WPPを利用可能とする。この図では、矩形タイルグループが有効であり、TileGroup0、TileGroup2、TileGroup4で、WPPが有効になる例を示す。TileGroup0、TileGroup4では、タイルグループ内に複数のタイルが含まれるが、タイル内でWPPをオンにする。WPPのオンオフに関わらず、タイルグループをタイル毎にラスタ順にスキャンし、さらに各タイル内でラスタ順でCTUのスキャンを行う（タイルスキャン順）。
【０２６０】
図33は、本実施形態の一形態のタイルグループとウェーブフロントプロセッシングのヘッダのシンタックス構成を示す図である。図35(a)は、タイルとウェーブフロントの排他構成を備えるヘッダ符号化部1110及びヘッダ復号部3020の動作を説明する図である。
【０２６１】
図のシンタックス構成およびフローチャートに示すように、ヘッダ符号化部1110又はヘッダ復号部3020は、ピクチャ中のタイル数が１（single_tile_in_pic_flag==１）、もしくは、矩形タイルグループの場合(rect_tile_group_flag==1)、もしくは、NumTilesInCurrTileGroup==1（S3001でYES）の場合、entropy_coding_sync_enabled_flagを符号化又は復号する（S3002）。そうでない場合、entropy_coding_sync_enabled_flagを０（WPPオフ）にセットする。
【０２６２】
if (single_tile_in_pic_flag || rect_tile_group_flag || NumTilesInCurrTileGroup==1)
entropy_coding_sync_enabled_flag
図32に示すように、ピクチャ内では、各タイルグループを順にスキャンする。タイルグループ内ではラスタスキャン順に各タイルをスキャンする、また、各タイル内ではラスタスキャン順にCTUをスキャンする。セグメントは、WPPオフ(entropy_coding_sync_enabled_flag==0)のタイルグループ(TileGroup1, TileGroup3)では、タイル単位であり、WPPオン(entropy_coding_sync_enabled_flag==1)のタイルグループ(TileGroup0,TileGroup2, TileGroup4)では、タイル内のCTU行単位である。タイルグループの先頭セグメント以外では、エントリポイントを符号化又は復号する。すなわち、WPPがオフのタイルグループではタイル数-１個のエントリポイント、WPPがオンの場合には、タイル内のCTU行の数-１個のエントリポイントをもつ。エントリポイントは、図32中に示すとおりである。
【０２６３】
ヘッダ符号化部1110又はヘッダ復号部3020は、WPPがオンの場合（entropy_coding_sync_enabled_flag==1）、タイルグループに含まれる水平方向のタイルの数NumTileColumnsInTileGroupMinus1+1とCTU行の数TileGroupHeightInCtbsYの積-1個のエントリポイントを符号化又は復号する。また、WPPがオフの場合（entropy_coding_sync_enabled_flag==0）にはタイルグループ中のタイルの数NumTilesInCurrTileGroup-1個のエントリポイントを符号化又は復号する。エントリポイントの数は以下の式で導出してもよい。
【０２６４】
NumEntryPoint = entropy_coding_sync_enabled_flag ? (NumTileColumnsInTileGroupMinus1+1)*TileGroupHeightInCtbsY-1 : NumTilesInCurrTileGroup-1
上記の構成によれば、タイルグループ内のタイルをさらにCTU行のセグメントに分割して処理できるので、並列数を増やすことができるという効果を奏する。
【０２６５】
また、タイルグループ内のタイルをさらにCTU行のセグメントに分割するか否かをタイルグループで選択可能であるため並列度を自由に選択できる効果を奏する。
【０２６６】
また、タイルグループ内のタイルをCTU行のセグメントに分割できるのは、矩形タイルグループもしくはタイルグループのタイル数が１の場合に限定されるため、タイルグループが矩形ではない場合に、CTU行セグメントに分割することで処理が複雑になるのを防ぐ効果を奏する。
【０２６７】
（矩形タイルグループの場合においてWPPを利用可能とする構成）
図34は、本実施形態の一形態のタイルグループとウェーブフロントプロセッシングのヘッダのシンタックス構成を示す図である。図35(b)は、タイルとウェーブフロントの排他構成を備える構成のヘッダ符号化部1110及びヘッダ復号部3020の動作を説明する図である。
【０２６８】
図に示すように、ヘッダ符号化部1110又はヘッダ復号部3020は、ピクチャ中のタイル数が１（single_tile_in_pic_flag==1）、もしくは、矩形タイルグループ(rect_tile_group_flag==1)の場合（S3011）、entropy_coding_sync_enabled_flagを符号化又は復号する（S3012）。そうでない場合、entropy_coding_sync_enabled_flagを０（WPPオフ）にセットする。
【０２６９】
if (single_tile_in_pic_flag || rect_tile_group_flag)
entropy_coding_sync_enabled_flag
また、ヘッダ復号部3020は、single_tile_in_pic_flagが１の場合に、rect_tile_group_flagを１と導出してもよい。例えば、符号化データにsingle_tile_per_tile_group_flagが現れない場合（例えば、single_tile_in_pic_flag＝１）の場合に、single_tile_per_tile_group_flagを１と導出し、single_tile_per_tile_group_flagの場合に、rect_tile_group_flagを１と導出してもよい。この場合、ヘッダ符号化部1110又はヘッダ復号部3020は、矩形タイルグループ(rect_tile_group_flag==1)の場合（S3011）、entropy_coding_sync_enabled_flagを符号化又は復号する（S3012）。そうでない場合、entropy_coding_sync_enabled_flagを０（WPPオフ）にセットする。
【０２７０】
if (rect_tile_group_flag)
entropy_coding_sync_enabled_flag
上記の構成によれば、タイルグループ内のタイルをさらにCTU行のセグメントに分割して処理できるので、並列数を増やすことができるという効果を奏する。
【０２７１】
また、タイルグループ内のタイルをCTU行のセグメントに分割できるのは、矩形タイルグループに限定されるため、タイルグループが矩形ではない場合に、CTU行セグメントに分割することで処理が複雑になるのを防ぐ効果を奏する。  （タイルベースCTUスキャン順）
図３７は、タイルベースCTUスキャン順の導出方法を示すフローチャート図である。
CT情報復号部3021（もしくはパラメータ復号部302）又はCT情報符号化部1111（もしくはヘッダ符号化部1110）は、以下の処理によって、CtbAddrRsToTs[]を導出してもよい。
【０２７２】
（S201）
tileGroupTLCol = top_left_tile_idx[i] % (num_tile_columns_minus1+1)
tileGroupTLRow = top_left_tile_idx[i] / (num_tile_columns_minus1+1)
tileGroupXInCtbY = 0
tileGroupYInCtbY = 0
for (j=0; j<tileGroupTLCol; j++)
tileGroupXInCtbY = tileGroupXInCtbY+ColWidth[j]
for (j=0; j<tileGroupTLRow; j++)
tileGroupYInCtbY = tileGroupYInCtbY+RowHeight[j]
tileYInCtb = tileGroupYInCtbY
（S202）
for (row=0; row<=NumTileRowsInTileGroupMinus1[i]; row++) { // TileRasterScanInTileGroup
tileYInCtb = tileYInCtb+RowHeight[tileGroupTLRow+row]
tileXInCtb = tileGroupXInCtbY
for (col=0; col<=NumTileColsInTileGroupMinus1[i]; col++) { // TileRasterScanInTileGroup
tileXInCtb = tileXInCtb+ColWidth[tileGroupTLCol+col]
（S203）
for (y=0; y<RowHeight[tileGroupTLRow+row]; y++) { // CtbRasterScan in Tile
for (x=0; x<ColWidth[tileGroupTLCol+col]; x++) { // CtbRasterScan in Tile
（S204）
ctbAddrRs = (x+tileXInCtb)+(y+tileYInCtb)*PicHeightInCtbsY
（S205）
CtbAddrRsToTs[ctbAddrRs] = ctbAddrTs
CtbAddrTsToRs[ctbAddrTs] = ctbAddrRs
（S206）
ctbAddrTs++
}
}
}
}
S201：タイルグループの左上タイルアドレスtileGroupTLCol、tileGroupTLRowを導出する。タイルグループの左上CTUアドレスtileGroupXInCtbY、tileGroupYInCtbYを導出する。
【０２７３】
S202：タイルグループのタイル単位の高さ（NumTileRowsInTileGroupMinus1）とタイル単位の幅（NumTileColumnsInTileGroupMinus1）を用いて、対象タイルグループのタイルをラスタスキャンする。
【０２７４】
S203：タイルのCTU単位の高さColHeightとCTU単位のColWidthを用いて、タイル内のCTUをラスタスキャンする。
【０２７５】
S204：ピクチャ内のCTU単位のX座標(x+tileGroupXInCtbY)とY座標(y+tileGroupYInCtbY)から、対象CTUのピクチャ内のラスタスキャンCTUアドレスctbAddrRsを導出する。
【０２７６】
S205：ctbAddrRsとctbAddrTsを対応づけるテーブルにCTUアドレスを格納する。ここでは、CtbAddrRsToTs[]とCtbAddrTsToRs[]の両者を導出しているが、一方だけ（例えばCtbAddrRsToTs[]）を導出して、（ピクチャ内のCTUスキャン順の導出方法０）を用いて、他方（CtbAddrTsToRs[]）を導出してもよい。
【０２７７】
S206：ctbAddrTsを1だけインクリメントする。
【０２７８】
この例では、矩形タイルグループもしくはタイルグループ中のタイルの数が１個の場合に、WPPを利用可能とする。図36では、矩形タイルグループであり、TileGroup0、TileGroup2、TileGroup4で、WPPが有効になる例を示す。また、矩形タイルグループでWPPを有効にする場合には、タイル内でラスタスキャン順にCTUをスキャンするのではなく、タイルグループ内でラスタスキャン順にCTUをスキャンする。つまり、TileGroup0の２×３のタイルのスキャン順は以下のようになる。WPPがオフの場合には、タイルグループ内をタイル毎にラスタ順にスキャンし、さらに各タイル内でラスタ順にCTUのスキャンを行う。WPPがオンの場合、タイルグループ内のタイルを区別せずに、各タイルグループ単位でCTUをスキャンする。例えば、ピクチャ内のCTUがラスタ順で以下のように配置されており、各タイルは3x3個のCTUから構成される場合、
0 1 2 3 4 5 6 7 8 9 10 11
12 13 14 15 16 17 18 19 20 21 22 23
24 25 26 27 28 29 30 31 32 33 34 35
36 37 38 39 40 41 42 43 44 45 46 47
48 49 50 51 52 53 54 55 56 57 58 59
60 61 62 63 64 65 66 67 68 69 70 71
72 73 74 75 76 77 78 79 80 81 82 83
84 85 86 87 88 89 90 91 92 93 94 95
96 97 98 99 100 101 102 103 104 105 106 107
WPPオフの場合、TileGroup0のCTUスキャン順は以下である。
【０２７９】
0 1 2 12 13 14 24 25 26
3 4 5 15 16 17 27 28 29
36 37 38 48 49 50 60 61 62
39 40 41 51 52 53 63 64 65
72 73 74 84 85 86 96 97 98
75 76 77 87 88 89 99 100 101
WPPオンの場合、TileGroup0のCTUスキャン順は以下である。
【０２８０】
0 1 2 3 4 5
12 13 14 15 16 17
24 25 26 27 28 29
36 37 38 39 40 41
48 49 50 51 52 53
60 61 62 63 64 65
72 73 74 75 76 77
84 85 86 87 88 89
96 97 98 99 100 101
図３９は、本実施形態の一形態のタイルグループとウェーブフロントプロセッシングのヘッダのシンタックス構成を示す図である。
【０２８１】
さらに、ヘッダ符号化部1110及びヘッダ復号部3020は、以下の式によって、タイルグループヘッダを符号化、復号する時点で以下の式によって、対象タイルグループに含まれるタイルの数を導出してもよい。
【０２８２】
NumTilesInCurrTileGroup = rect_tile_group_flag ? NumTilesInTileGroup[ tileGroupIdx ] : (num_tiles_in_tile_group_minus1 + 1)
ヘッダ符号化部1110及びヘッダ復号部3020は、ピクチャ中のタイル数が１（single_tile_in_pic_flag==1）もしくは矩形タイルグループの場合（rect_tile_group_flag==1）もしくはタイルグループに含まれるタイル数NumTilesInCurrTileGroupが1の場合に、entropy_coding_sync_enabled_flagを符号化もしくは復号する。
【０２８３】
if (single_tile_in_pic_flag || rect_tile_group_flag || NumTilesInCurrTileGroup == 1)
entropy_coding_sync_enabled_flag
なお、ヘッダ符号化部1110及びヘッダ復号部3020は、ピクチャ中のタイル数が１（single_tile_in_pic_flag==1）もしくは矩形タイルグループの場合（rect_tile_group_flag==1）の場合に、entropy_coding_sync_enabled_flagを符号化もしくは復号する構成であってもよい。
【０２８４】
if (single_tile_in_pic_flag || rect_tile_group_flag)
entropy_coding_sync_enabled_flag
（ピクチャ内のCTUスキャン順の導出方法２、タイルグループベースCTUスキャン順）
CT情報復号部3021は、ピクチャパラメータセットで通知されたentropy_coding_sync_enabled_flagがオンの場合には、以下の処理によって、CtbAddrRsToTs[]を導出してもよい。この導出方法では、ピクチャ内をタイルグループ順にスキャンを行い（TileGroupLoop）、さらにタイルグループ内をCTU順でラスタスキャン（CtbRasterScan in TileGroup）することでCTUスキャン順を導出する。図３８（ｂ）に本構成のフローチャートを示す。なお、ピクチャ単位で通知されたentropy_coding_sync_enabled_flagがオフの場合には、既に、ピクチャ内のCTUスキャン順の導出方法１で説明したように、タイルベースCTUスキャン順を用いてCtbAddrRsToTs[]を導出する。
【０２８５】
上記の構成によれば、WPPがオン、かつ、タイルグループが複数のタイルから構成されている場合には、CTUスキャン順を変更することによって、タイルグループ内のタイルをまとめた１つの領域をCTU行セグメントに分割することができる。これによって、無駄にタイルグループを分割することがないので、性能が向上する。また、タイルグループにおいて、タイルとWPP(CTU行)のセグメンテーションが排他的であるため、処理が簡略化される効果を奏する。
【０２８６】
なお、タイルグループヘッダの構成は、図４１(a)に示す通りであり、entropy_coding_sync_enabled_flagを含めないことを除き図３９と等しい。すなわち、以下の式により、エントリポイントの数を導出する。
【０２８７】
NumEntryPoint = entropy_coding_sync_enabled_flag ? TileGroupHeightInCtbsY-1 : NumTilesInCurrTileGroup-1
＜パラメータセットでWPP有効フラグを伝送する構成＞
以下、タイルグループヘッダではなく、パラメータセットでWPP有効フラグを通知する構成を説明する。以下の構成では、タイルグループを復号する前の段階で、セグメントの並列復号が可能か否かが分かるという共通の効果を奏する。また、ピクチャ単位でWPPを用いるか否かを選択するため、画面全体でエントリポイントの位置が明らかであるという効果を奏する。また、動画像復号装置と、動画像符号化装置もしくは画像伝送システムとの間で能力交換が容易にできるという効果を奏する。
【０２８８】
（パラメータセット伝送＋タイルベースCTUスキャン）
図４２は、本実施形態の一形態のタイルグループとウェーブフロントプロセッシングのパラメータセットのシンタックス構成を示す図である。この構成では、ヘッダ符号化部1110又はヘッダ復号部3020は、タイルグループヘッダではなく、パラメータセットにおいて、ピクチャに１つのentropy_coding_sync_enabled_flagを符号化又は復号する。
【０２８９】
図４０は、本実施形態の一形態のタイルグループとウェーブフロントプロセッシング（CTU行セグメント）の関係を示す図である。図４０では、全てのタイルグループ、TileGroup0, TileGroup1, TileGroup2, TileGroup3, TileGroup4でWPPが利用される例を示している。この構成では、ピクチャ単位でWPPを用いるか否かを選択するため、復号装置の処理が容易であるという効果を奏する。
【０２９０】
本実施形態では、ピクチャ内のCTUスキャン順の導出方法１、及び図３７で説明したように、タイルベーススキャン（タイルグループ内のタイルでスキャンを行い、タイル内でCTUのスキャン）を行う。よって、タイルグループは、タイルグループに含まれる水平方向のタイルの幅とCTU高さをもつセグメントに分割される。タイルグループのセグメント数は、水平方向のタイル数（NumTileColumnsInTileGroupMinus1+1）とCTU行の数（TileGroupHeightInCtbsY）の積となる。タイルグループヘッダの構成は、図４１(b)に示す通りであり、entropy_coding_sync_enabled_flagを通知しない。その代わりにピクチャパラメータセットのentropy_coding_sync_enabled_flagを参照する。ここでは、セグメント数-１個のエントリポイントを復号する。
【０２９１】
NumEntryPoint = entropy_coding_sync_enabled_flag ? (NumTileColumnsInTileGroupMinus1+1)*TileGroupHeightInCtbsY-1 : NumTilesInCurrTileGroup-1
この構成では、矩形タイルグループであるか否かは、ピクチャパラメータセットで識別できるので、タイルグループを復号する前に、セグメントの並列復号が可能かどうかが分かるという効果を奏する。
【０２９２】
さらに、ピクチャ内のタイル数が１もしくはタイルグループ中のタイル数が１個の場合にのみ、entropy_coding_sync_enabled_flagを１とする制限がかかった符号化データを復号する復号装置では、図４１(a)の構成のように以下の数のエントリポイントを復号する。
【０２９３】
NumEntryPoint = entropy_coding_sync_enabled_flag ? TileGroupHeightInCtbsY-1 : NumTilesInCurrTileGroup-1
この場合、タイルグループ中でタイルとCTU行セグメントを排他的に処理できるという効果を奏する。
【０２９４】
（パラメータセット伝送＋タイルベースCTUスキャン＋矩形タイルグループの構成３）
２個以上のタイル（タイルインデックスはi）を含むタイルグループの場合に、entropy_coding_sync_enabled_flag[i]を常に1とする符号化データを復号する動画像復号装置では、タイルグループ中でタイルとCTU行セグメントを排他的に処理できるという効果を奏する。
【０２９５】
この構成では、タイルグループは、CTU高さをもつセグメントに分割される。タイルグループのセグメント数は、CTU行の数（TileGroupHeightInCtbsY）となる。タイルグループヘッダの構成は、図４１(a)に示す通りであり、entropy_coding_sync_enabled_flagを含めずに、ピクチャパラメータセットのentropy_coding_sync_enabled_flagを参照する。ここでは、セグメント数-１個（TileGroupHeightInCtbsY-1）のエントリポイントを復号する。
【０２９６】
NumEntryPoint = entropy_coding_sync_enabled_flag ? TileGroupHeightInCtbsY-1 : NumTilesInCurrTileGroup-1
（パラメータセット伝送＋タイルグループベースCTUスキャン順）
以下では、さらに、タイルグループヘッダではなく、パラメータセットでWPP有効フラグを通知する構成において、WPP有効フラグが1の場合に、タイルグループ内のCTUスキャン順を、タイルベースCTUスキャン順からタイルグループベースCTUスキャン順に変更する構成を説明する。
【０２９７】
（パラメータセット伝送＋タイルグループベースCTUスキャン順）
図４２は、本実施形態の一形態のタイルグループとウェーブフロントプロセッシングのパラメータセットのシンタックス構成を示す図である。この構成では、ヘッダ符号化部1110又はヘッダ復号部3020は、タイルグループヘッダではなく、パラメータセットにおいて、ピクチャに１つのentropy_coding_sync_enabled_flagを符号化又は復号する。
【０２９８】
この構成では、タイルグループはCTU高さをもつセグメントに分割される。タイルグループのセグメント数は、CTU行の数（TileGroupHeightInCtbsY）となる。タイルグループヘッダの構成は、図４１(a)に示す通りであり、entropy_coding_sync_enabled_flagを含めずに、ピクチャパラメータセットのentropy_coding_sync_enabled_flagを参照する。ここでは、セグメント数-１個（TileGroupHeightInCtbsY -1）のエントリポイントを復号する。
【０２９９】
NumEntryPoint = entropy_coding_sync_enabled_flag ? TileGroupHeightInCtbsY-1 : NumTilesInCurrTileGroup-1
参照ピクチャメモリ306は、加算部312が生成したCUの復号画像を、対象ピクチャ及び対象CU毎に予め定めた位置に記憶する。
【０３００】
予測パラメータメモリ307は、復号対象のCTUあるいはCU毎に予め定めた位置に予測パラメータを記憶する。具体的には、予測パラメータメモリ307は、パラメータ復号部302が復号したパラメータ及びエントロピー復号部301が分離した予測モードpredMode等を記憶する。
【０３０１】
予測画像生成部308には予測パラメータ等が入力される。また、予測画像生成部308は、参照ピクチャメモリ306から参照ピクチャを読み出す。予測画像生成部308は、予測パラメータと参照ピクチャ（参照ピクチャブロック）を用いてブロックもしくはサブブロックの予測画像を生成する。ここで、参照ピクチャブロックとは、参照ピクチャ上の画素の集合（通常矩形であるのでブロックと呼ぶ）であり、予測画像を生成するために参照する領域である。
【０３０２】
逆量子化・逆変換部311は、エントロピー復号部301から入力された量子化変換係数を逆量子化して変換係数を求める。この量子化変換係数は、符号化処理において、予測誤差に対してDCT（Discrete Cosine Transform、離散コサイン変換）等の周波数変換を行い量子化して得られる係数である。逆量子化・逆変換部311は、求めた変換係数について逆DCT等の逆周波数変換を行い、予測誤差を算出する。逆量子化・逆変換部311は予測誤差を加算部312に出力する。
【０３０３】
加算部312は、予測画像生成部308から入力されたブロックの予測画像と逆量子化・逆変換部311から入力された予測誤差を画素毎に加算して、ブロックの復号画像を生成する。
加算部312はブロックの復号画像を参照ピクチャメモリ306に記憶し、また、ループフィルタ305に出力する。
【０３０４】
（動画像符号化装置の構成）
次に、本実施形態に係る動画像符号化装置11の構成について説明する。図24は、本実施形態に係る動画像符号化装置11の構成を示すブロック図である。動画像符号化装置11は、予測画像生成部101、減算部102、変換・量子化部103、逆量子化・逆変換部105、加算部106、ループフィルタ107、予測パラメータメモリ109、符号化パラメータ決定部110、パラメータ符号化部111、エントロピー符号化部104を含んで構成される。
【０３０５】
予測画像生成部101は画像Ｔの各ピクチャを分割した領域であるCU毎に予測画像を生成する。予測画像生成部101は既に説明した予測画像生成部308と同じ動作である。
【０３０６】
減算部102は、予測画像生成部101から入力されたブロックの予測画像の画素値を、画像Ｔの画素値から減算して予測誤差を生成する。減算部102は予測誤差を変換・量子化部103に出力する。
【０３０７】
変換・量子化部103は、減算部102から入力された予測誤差に対し、周波数変換によって変換係数を算出し、量子化によって量子化変換係数を導出する。変換・量子化部103は、量子化変換係数をエントロピー符号化部104及び逆量子化・逆変換部105に出力する。
【０３０８】
逆量子化・逆変換部105は、動画像復号装置31における逆量子化・逆変換部311（図9）と同じである。算出した予測誤差は加算部106に出力される。
【０３０９】
パラメータ符号化部111は、ヘッダ符号化部1110、CT情報符号化部1111、CU符号化部1112（予測モード符号化部）、エントロピー符号化部104、および図示しないインター予測パラメータ符号化部112とイントラ予測パラメータ符号化部113を備えている。CU符号化部1112はさらにTU符号化部1114を備えている。
【０３１０】
以下、各モジュールの概略動作を説明する。パラメータ符号化部111はヘッダ情報、分割情報、予測情報、量子化変換係数等のパラメータの符号化処理を行う。
【０３１１】
CT情報符号化部1111は、QT、MT（BT、TT）分割情報等を符号化する。
【０３１２】
CU符号化部1112はCU情報、予測情報、TU分割フラグ、CU残差フラグ等を符号化する。
【０３１３】
TU符号化部1114は、TUに予測誤差が含まれている場合に、QP更新情報（量子化補正値）と量子化予測誤差（residual_coding）を符号化する。
【０３１４】
エントロピー符号化部104は、供給元から入力されるシンタックス要素をバイナリデータに変換し、CABAC等のエントロピー符号化方式により符号化データを生成し、出力する。図24に示す例では、シンタックス要素の供給元は、CT情報符号化部1111、CU符号化部1112である。
【０３１５】
加算部106は、予測画像生成部101から入力されたブロックの予測画像の画素値と逆量子化・逆変換部105から入力された予測誤差を画素毎に加算して復号画像を生成する。加算部106は生成した復号画像を参照ピクチャメモリ109に記憶する。
【０３１６】
ループフィルタ107は加算部106が生成した復号画像に対し、デブロッキングフィルタ、SAO、ALFを施す。なお、ループフィルタ107は、必ずしも上記３種類のフィルタを含まなくてもよい。
【０３１７】
予測パラメータメモリ108は、符号化パラメータ決定部110が生成した予測パラメータを、対象ピクチャ及びCU毎に予め定めた位置に記憶する。
【０３１８】
参照ピクチャメモリ109は、ループフィルタ107が生成した復号画像を対象ピクチャ及びCU毎に予め定めた位置に記憶する。
【０３１９】
符号化パラメータ決定部110は、符号化パラメータの複数のセットのうち、１つのセットを選択する。符号化パラメータとは、上述したQT、BTあるいはTT分割情報、予測パラメータ、あるいはこれらに関連して生成される符号化の対象となるパラメータである。予測画像生成部101は、これらの符号化パラメータを用いて予測画像を生成する。
【０３２０】
符号化パラメータ決定部110は、複数のセットの各々について情報量の大きさと符号化誤差を示すRDコスト値を算出し、コスト値が最小となる符号化パラメータのセットを選択する。これにより、エントロピー符号化部104は、選択した符号化パラメータのセットを符号化ストリームTeとして出力する。符号化パラメータ決定部110は決定した符号化パラメータを予測パラメータメモリ108に記憶する。
【０３２１】
なお、上述した実施形態における動画像符号化装置11、動画像復号装置31の一部、例えば、エントロピー復号部301、パラメータ復号部302、ループフィルタ305、予測画像生成部308、逆量子化・逆変換部311、加算部312、予測画像生成部101、減算部102、変換・量子化部103、エントロピー符号化部104、逆量子化・逆変換部105、ループフィルタ107、符号化パラメータ決定部110、パラメータ符号化部111をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、動画像符号化装置11、動画像復号装置31のいずれかに内蔵されたコンピュータシステムであって、OSや周辺機器等のハードウェアを含むものとする。また、「コンピュータ読み取り可能な記録媒体」とは、フレキシブルディスク、光磁気ディスク、ROM、CD-ROM等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０３２２】
また、上述した実施形態における動画像符号化装置11、動画像復号装置31の一部、または全部を、LSI（Large Scale Integration）等の集積回路として実現しても良い。動画像符号化装置11、動画像復号装置31の各機能ブロックは個別にプロセッサ化しても良いし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【０３２３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【０３２４】
〔応用例〕
上述した動画像符号化装置11及び動画像復号装置31は、動画像の送信、受信、記録、再生を行う各種装置に搭載して利用することができる。なお、動画像は、カメラ等により撮像された自然動画像であってもよいし、コンピュータ等により生成された人工動画像（CGおよびGUIを含む）であってもよい。
【０３２５】
まず、上述した動画像符号化装置11及び動画像復号装置31を、動画像の送信及び受信に利用できることを、図2を参照して説明する。
【０３２６】
図2(a)は、動画像符号化装置11を搭載した送信装置PROD_Aの構成を示したブロック図である。図2(a)に示すように、送信装置PROD_Aは、動画像を符号化することによって符号化データを得る符号化部PROD_A1と、符号化部PROD_A1が得た符号化データで搬送波を変調することによって変調信号を得る変調部PROD_A2と、変調部PROD_A2が得た変調信号を送信する送信部PROD_A3と、を備えている。上述した動画像符号化装置11は、この符号化部PROD_A1として利用される。
【０３２７】
送信装置PROD_Aは、符号化部PROD_A1に入力する動画像の供給源として、動画像を撮像するカメラPROD_A4、動画像を記録した記録媒体PROD_A5、動画像を外部から入力するための入力端子PROD_A6、及び、画像を生成または加工する画像処理部Ａ７を更に備えていてもよい。図2(a)においては、これら全てを送信装置PROD_Aが備えた構成を例示しているが、一部を省略しても構わない。
【０３２８】
なお、記録媒体PROD_A5は、符号化されていない動画像を記録したものであってもよいし、伝送用の符号化方式とは異なる記録用の符号化方式で符号化された動画像を記録したものであってもよい。後者の場合、記録媒体PROD_A5と符号化部PROD_A1との間に、記録媒体PROD_A5から読み出した符号化データを記録用の符号化方式に従って復号する復号部（不図示）を介在させるとよい。
【０３２９】
図2(b)は、動画像復号装置31を搭載した受信装置PROD_Bの構成を示したブロック図である。図2(b)に示すように、受信装置PROD_Bは、変調信号を受信する受信部PROD_B1と、受信部PROD_B1が受信した変調信号を復調することによって符号化データを得る復調部PROD_B2と、復調部PROD_B2が得た符号化データを復号することによって動画像を得る復号部PROD_B3と、を備えている。上述した動画像復号装置31は、この復号部PROD_B3として利用される。
【０３３０】
受信装置PROD_Bは、復号部PROD_B3が出力する動画像の供給先として、動画像を表示するディスプレイPROD_B4、動画像を記録するための記録媒体PROD_B5、及び、動画像を外部に出力するための出力端子PROD_B6を更に備えていてもよい。図2(b)においては、これら全てを受信装置PROD_Bが備えた構成を例示しているが、一部を省略しても構わない。
【０３３１】
なお、記録媒体PROD_B5は、符号化されていない動画像を記録するためのものであってもよいし、伝送用の符号化方式とは異なる記録用の符号化方式で符号化されたものであってもよい。後者の場合、復号部PROD_B3と記録媒体PROD_B5との間に、復号部PROD_B3から取得した動画像を記録用の符号化方式に従って符号化する符号化部（不図示）を介在させるとよい。
【０３３２】
なお、変調信号を伝送する伝送媒体は、無線であってもよいし、有線であってもよい。また、変調信号を伝送する伝送態様は、放送（ここでは、送信先が予め特定されていない送信態様を指す）であってもよいし、通信（ここでは、送信先が予め特定されている送信態様を指す）であってもよい。すなわち、変調信号の伝送は、無線放送、有線放送、無線通信、及び有線通信の何れによって実現してもよい。
【０３３３】
例えば、地上デジタル放送の放送局（放送設備など）／受信局（テレビジョン受像機など）は、変調信号を無線放送で送受信する送信装置PROD_A／受信装置PROD_Bの一例である。また、ケーブルテレビ放送の放送局（放送設備など）／受信局（テレビジョン受像機など）は、変調信号を有線放送で送受信する送信装置PROD_A／受信装置PROD_Bの一例である。
【０３３４】
また、インターネットを用いたVOD（Video On Demand）サービスや動画共有サービスなどのサーバ（ワークステーションなど）／クライアント（テレビジョン受像機、パーソナルコンピュータ、スマートフォンなど）は、変調信号を通信で送受信する送信装置PROD_A／受信装置PROD_Bの一例である（通常、ＬＡＮにおいては伝送媒体として無線または有線の何れかが用いられ、ＷＡＮにおいては伝送媒体として有線が用いられる）。ここで、パーソナルコンピュータには、デスクトップ型PC、ラップトップ型PC、及びタブレット型PCが含まれる。また、スマートフォンには、多機能携帯電話端末も含まれる。
【０３３５】
なお、動画共有サービスのクライアントは、サーバからダウンロードした符号化データを復号してディスプレイに表示する機能に加え、カメラで撮像した動画像を符号化してサーバにアップロードする機能を有している。すなわち、動画共有サービスのクライアントは、送信装置PROD_A及び受信装置PROD_Bの双方として機能する。
【０３３６】
次に、上述した動画像符号化装置11及び動画像復号装置31を、動画像の記録及び再生に利用できることを、図3を参照して説明する。
【０３３７】
図3(a)は、上述した動画像符号化装置11を搭載した記録装置PROD_Cの構成を示したブロック図である。図3(a)に示すように、記録装置PROD_Cは、動画像を符号化することによって符号化データを得る符号化部PROD_C1と、符号化部PROD_C1が得た符号化データを記録媒体PROD_Mに書き込む書込部PROD_C2と、を備えている。上述した動画像符号化装置11は、この符号化部PROD_C1として利用される。
【０３３８】
なお、記録媒体PROD_Mは、（１）HDD（Hard Disk Drive）やSSD(Solid State Drive)などのように、記録装置PROD_Cに内蔵されるタイプのものであってもよいし、（２）SDメモリカードやUSB（Universal Serial Bus）フラッシュメモリなどのように、記録装置PROD_Cに接続されるタイプのものであってもよいし、（３）DVD（Digital Versatile Disc:登録商標）やBD（Blu-ray Disc:登録商標）などのように、記録装置PROD_Cに内蔵されたドライブ装置（不図示）に装填されるものであってもよい。
【０３３９】
また、記録装置PROD_Cは、符号化部PROD_C1に入力する動画像の供給源として、動画像を撮像するカメラPROD_C3、動画像を外部から入力するための入力端子PROD_C4、動画像を受信するための受信部PROD_C5、及び、画像を生成または加工する画像処理部PROD_C6を更に備えていてもよい。図3(a)においては、これら全てを記録装置PROD_Cが備えた構成を例示しているが、一部を省略しても構わない。
【０３４０】
なお、受信部PROD_C5は、符号化されていない動画像を受信するものであってもよいし、記録用の符号化方式とは異なる伝送用の符号化方式で符号化された符号化データを受信するものであってもよい。後者の場合、受信部PROD_C5と符号化部PROD_C1との間に、伝送用の符号化方式で符号化された符号化データを復号する伝送用復号部（不図示）を介在させるとよい。
【０３４１】
このような記録装置PROD_Cとしては、例えば、DVDレコーダ、BDレコーダ、HDD（Hard Disk Drive）レコーダなどが挙げられる（この場合、入力端子PROD_C4または受信部PROD_C5が動画像の主な供給源となる）。また、カムコーダ（この場合、カメラPROD_C3が動画像の主な供給源となる）、パーソナルコンピュータ（この場合、受信部PROD_C5または画像処理部Ｃ６が動画像の主な供給源となる）、スマートフォン（この場合、カメラPROD_C3または受信部PROD_C5が動画像の主な供給源となる）なども、このような記録装置PROD_Cの一例である。
【０３４２】
図3(B)は、上述した動画像復号装置31を搭載した再生装置PROD_Dの構成を示したブロックである。図3(b)に示すように、再生装置PROD_Dは、記録媒体PROD_Mに書き込まれた符号化データを読み出す読出部PROD_D1と、読出部PROD_D1が読み出した符号化データを復号することによって動画像を得る復号部PROD_D2と、を備えている。上述した動画像復号装置31は、この復号部PROD_D2として利用される。
【０３４３】
なお、記録媒体PROD_Mは、（１）HDDやSSDなどのように、再生装置PROD_Dに内蔵されるタイプのものであってもよいし、（２）SDメモリカードやUSBフラッシュメモリなどのように、再生装置PROD_Dに接続されるタイプのものであってもよいし、（３）DVDやBDなどのように、再生装置PROD_Dに内蔵されたドライブ装置（不図示）に装填されるものであってもよい。
【０３４４】
また、再生装置PROD_Dは、復号部PROD_D2が出力する動画像の供給先として、動画像を表示するディスプレイPROD_D3、動画像を外部に出力するための出力端子PROD_D4、及び、動画像を送信する送信部PROD_D5を更に備えていてもよい。図3(b)においては、これら全てを再生装置PROD_Dが備えた構成を例示しているが、一部を省略しても構わない。
【０３４５】
なお、送信部PROD_D5は、符号化されていない動画像を送信するものであってもよいし、記録用の符号化方式とは異なる伝送用の符号化方式で符号化された符号化データを送信するものであってもよい。後者の場合、復号部PROD_D2と送信部PROD_D5との間に、動画像を伝送用の符号化方式で符号化する符号化部（不図示）を介在させるとよい。
【０３４６】
このような再生装置PROD_Dとしては、例えば、DVDプレイヤ、BDプレイヤ、HDDプレイヤなどが挙げられる（この場合、テレビジョン受像機等が接続される出力端子PROD_D4が動画像の主な供給先となる）。また、テレビジョン受像機（この場合、ディスプレイPROD_D3が動画像の主な供給先となる）、デジタルサイネージ（電子看板や電子掲示板等とも称され、ディスプレイPROD_D3または送信部PROD_D5が動画像の主な供給先となる）、デスクトップ型PC（この場合、出力端子PROD_D4または送信部PROD_D5が動画像の主な供給先となる）、ラップトップ型またはタブレット型PC（この場合、ディスプレイPROD_D3または送信部PROD_D5が動画像の主な供給先となる）、スマートフォン（この場合、ディスプレイPROD_D3または送信部PROD_D5が動画像の主な供給先となる）なども、このような再生装置PROD_Dの一例である。
【０３４７】
（ハードウェア的実現およびソフトウェア的実現）
また、上述した動画像復号装置31および動画像符号化装置11の各ブロックは、集積回路（ICチップ）上に形成された論理回路によってハードウェア的に実現してもよいし、CPU（Central Processing Unit）を用いてソフトウェア的に実現してもよい。
【０３４８】
後者の場合、上記各装置は、各機能を実現するプログラムの命令を実行するCPU、上記プログラムを格納したROM（Read Only Memory）、上記プログラムを展開するRAM（RandomAccess Memory）、上記プログラムおよび各種データを格納するメモリ等の記憶装置（記録媒体）などを備えている。そして、本発明の実施形態の目的は、上述した機能を実現するソフトウェアである上記各装置の制御プログラムのプログラムコード（実行形式プログラム、中間コードプログラム、ソースプログラム）をコンピュータで読み取り可能に記録した記録媒体を、上記各装置に供給し、そのコンピュータ（またはCPUやMPU）が記録媒体に記録されているプログラムコードを読み出し実行することによっても、達成可能である。
【０３４９】
上記記録媒体としては、例えば、磁気テープやカセットテープ等のテープ類、フロッピー（登録商標）ディスク／ハードディスク等の磁気ディスクやCD-ROM（Compact Disc Read-Only Memory）／MOディスク（Magneto-Optical disc）／MD（Mini Disc）／DVD（Digital Versatile Disc）／CD-R（CD Recordable）／ブルーレイディスク（Blu-ray Disc：登録商標）等の光ディスクを含むディスク類、ICカード（メモリカードを含む）／光カード等のカード類、マスクROM／EPROM（Erasable Programmable Read-Only Memory）／EEPROM（Electrically Erasable and Programmable Read-Only Memory：登録商標）／フラッシュROM等の半導体メモリ類、あるいはPLD（Programmable logic device）やFPGA（Field Programmable Gate Array）等の論理回路類などを用いることができる。
【０３５０】
また、上記各装置を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、LAN（Local Area Network）、ISDN（Integrated Services Digital Network）、VAN（Value-Added Network）、CATV（Community Antenna television/Cable Television）通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、IEEE（Institute of Electrical and Electronic Engineers）1394、USB、電力線搬送、ケーブルＴＶ回線、電話線、ADSL（Asymmetric Digital Subscriber Line）回線等の有線でも、IrDA（Infrared Data Association）やリモコンのような赤外線、BlueTooth（登録商標）、IEEE802.11無線、HDR（High Data Rate）、NFC（Near Field Communication）、DLNA（Digital Living Network Alliance：登録商標）、携帯電話網、衛星回線、地上デジタル放送網等の無線でも利用可能である。なお、本発明の実施形態は、上記プログラムコードが電子的な伝送で具現化された、搬送波に埋め込まれたコンピュータデータ信号の形態でも実現され得る。
【０３５１】
本発明の実施形態は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０３５２】
（関連出願の相互参照）
本出願は、２０１９年２月８日に出願された日本国特許出願：特願２０１９−０２１６３０、２０１９年３月２５日に出願された日本国特許出願：特願２０１９−０５７０３１に対して優先権の利益を主張するものであり、それを参照することにより、その内容の全てが本書に含まれる。
【産業上の利用可能性】
【０３５３】
本発明の実施形態は、画像データが符号化された符号化データを復号する動画像復号装置、および、画像データが符号化された符号化データを生成する動画像符号化装置に好適に適用することができる。また、動画像符号化装置によって生成され、動画像復号装置によって参照される符号化データのデータ構造に好適に適用することができる。
【符号の説明】
【０３５４】
１１  動画像符号化装置
３１  動画像復号装置
１０１、３０８  予測画像生成部
１０４  エントロビー符号化部（符号化部）
１０７、３０５  ループフィルタ
１１１  パラメータ符号化部
３０１  エントロピー復号部
３０２  パラメータ復号部（分割部）
３０２０  ヘッダ復号部
３０２１  CT情報復号部
３０２２  CU復号部
１０９、３０６  参照ピクチャメモリ
１０８、３０７  予測パラメータメモリ
１０５、３１１  逆量子化・逆変換部
１０２  減算部
１０３  変換・量子化部
１０４  エントロピー符号化部
１０６  加算部
１１０  符号化パラメータ決定部
１１１０  ヘッダ符号化部
１１１１  CT情報符号化部
１１１２  CU符号化部
【図１】
2020162609.tif 000003
【図２】
2020162609.tif 000004
【図３】
2020162609.tif 000005
【図４】
2020162609.tif 000006
【図５】
2020162609.tif 000007
【図６】
2020162609.tif 000008
【図７】
2020162609.tif 000009
【図８】
2020162609.tif 000010
【図９】
2020162609.tif 000011
【図１０】
2020162609.tif 000012
【図１１】
2020162609.tif 000013
【図１２】
2020162609.tif 000014
【図１３】
2020162609.tif 000015
【図１４】
2020162609.tif 000016
【図１５】
2020162609.tif 000017
【図１６】
2020162609.tif 000018
【図１７】
2020162609.tif 000019
【図１８】
2020162609.tif 000020
【図１９】
2020162609.tif 000021
【図２０】
2020162609.tif 000022
【図２１】
2020162609.tif 000023
【図２２】
2020162609.tif 000024
【図２３】
2020162609.tif 000025
【図２４】
2020162609.tif 000026
【図２５】
2020162609.tif 000027
【図２６】
2020162609.tif 000028
【図２７】
2020162609.tif 000029
【図２８】
2020162609.tif 000030
【図２９】
2020162609.tif 000031
【図３０】
2020162609.tif 000032
【図３１】
2020162609.tif 000033
【図３２】
2020162609.tif 000034
【図３３】
2020162609.tif 000035
【図３４】
2020162609.tif 000036
【図３５】
2020162609.tif 000037
【図３６】
2020162609.tif 000038
【図３７】
2020162609.tif 000039
【図３８】
2020162609.tif 000040
【図３９】
2020162609.tif 000041
【図４０】
2020162609.tif 000042
【図４１】
2020162609.tif 000043
【図４２】
2020162609.tif 000044
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
ピクチャを復号する動画像復号装置において、
パラメータセットから、ＣＴＵ行の最初のＣＴＵにおいてＣＡＢＡＣの同期処理を行うか否かを示す有効フラグを復号するヘッダ復号部を備え、
前記ヘッダ復号部は、
スライス内におけるタイルのラスタスキャンによるタイル位置を用いて、ラスタスキャンＣＴＵアドレスリストを導出し、
前記ラスタスキャンＣＴＵアドレスリストを用いて、ＣＴＵアドレスを導出し、
前記有効フラグの値が１の場合、前記ＣＴＵアドレスを用いて、エントリポイントの数を導出することを特徴とする動画像復号装置。
【請求項２】
前記ヘッダ復号部は、前記エントリポイントの数が０よりも大きい場合、エントリポイントのオフセット−１を示す第１のシンタックスと、前記第１のシンタックスのビット数を示す第２のシンタックスとを復号することを特徴とする請求項１に記載の動画像復号装置。
【請求項３】
画像を符号化する動画像符号化装置において、
パラメータセットから、ＣＴＵ行の最初のＣＴＵにおいてＣＡＢＡＣの同期処理を行うか否かを示す有効フラグを符号化するヘッダ符号化部を備え、
前記ヘッダ符号化部は、
スライス内におけるタイルのラスタスキャンによるタイル位置を用いて、ラスタスキャンＣＴＵアドレスリストを導出し、
前記ラスタスキャンＣＴＵアドレスリストを用いて、ＣＴＵアドレスを導出し、
前記有効フラグの値が１の場合、前記ＣＴＵアドレスを用いて、エントリポイントの数を導出することを特徴とする動画像符号化装置。
【請求項４】
ピクチャを復号する動画像復号方法において、
パラメータセットから、ＣＴＵ行の最初のＣＴＵにおいてＣＡＢＡＣの同期処理を行うか否かを示す有効フラグを復号するステップと、
スライス内におけるタイルのラスタスキャンによるタイル位置を用いて、ラスタスキャンＣＴＵアドレスリストを導出するステップと、
前記ラスタスキャンＣＴＵアドレスリストを用いて、ＣＴＵアドレスを導出するステップと、
前記有効フラグの値が１の場合、前記ＣＴＵアドレスを用いて、エントリポイントの数を導出するステップと、
を含むことを特徴とする動画像復号方法。
【請求項５】
ピクチャを符号化する動画像符号化方法において、
パラメータセットから、ＣＴＵ行の最初のＣＴＵにおいてＣＡＢＡＣの同期処理を行うか否かを示す有効フラグを符号化するステップと、
スライス内におけるタイルのラスタスキャンによるタイル位置を用いて、ラスタスキャンＣＴＵアドレスリストを導出するステップと、
前記ラスタスキャンＣＴＵアドレスリストを用いて、ＣＴＵアドレスを導出するステップと、
前記有効フラグの値が１の場合、前記ＣＴＵアドレスを用いて、エントリポイントの数を導出するステップと、
を含むことを特徴とする動画像符号化方法。
【国際調査報告】
2020162609.tif 000045
2020162609.tif 000046